(57)【特許請求の範囲】
【請求項１】
1種類以上の溶媒又は種々の溶媒の混合物と、1種類以上の染料と、1種類以上の重合体バインダーと、及び1種類以上の添加剤と、を少なくとも含む印刷インクであって、少なくとも1種類の添加剤がフタル酸の環状基水素添加ジアルキルエステル（アルキル基は直鎖状であっても分岐状であってもよく、かつ炭素原子数が１〜３０個である）から選択された1種類又は２種類以上のシクロヘキサンポリカルボン酸誘導体であることを特徴とする印刷インク。
【請求項２】
包装材料印刷インクである、請求項１に記載の印刷インク。
【請求項３】
シクロヘキサンポリカルボン酸誘導体の割合が、印刷インクの全成分の総量に対して０．１〜３質量％である、請求項２に記載の印刷インク。
【請求項４】
1種類以上の溶媒又は種々の溶媒の混合物と、1種類以上の重合体バインダーと、及び1種類以上の添加剤と、を少なくとも含む印刷ラッカーであって、少なくとも1種類の添加剤がフタル酸の環状基水素添加ジアルキルエステル（アルキル基は直鎖状であっても分岐状であってもよく、かつ炭素原子数が１〜３０個である）から選択された1種類又は２種類以上のシクロヘキサンポリカルボン酸誘導体であることを特徴とする印刷ラッカー。
【請求項５】
少なくとも１種類のシクロヘキサンポリカルボン酸誘導体が、
シクロヘキサン−１，２−ジカルボン酸と、Ｃ1−Ｃ13アルコールとの混合エステル、
ケミカルアブストラクト登録番号（Chemical Abstract Registry Number：以後CAS No.という)84777-06-0のジ（イソペンチル）フタレートを水素添加することにより得られたシクロヘキサン−１，２−ジカルボン酸のジ（イソペンチル）エステル、
CAS No.71888-89-6のジ（イソヘプチル）フタレートを水素添加することにより得られたシクロヘキサン−１，２−ジカルボン酸のジ（イソヘプチル）エステル、
CAS No.68515-48-0のジ（イソノニル）フタレートを水素添加することにより得られたシクロヘキサン−１，２−ジカルボン酸のジ（イソノニル）エステル、
CAS No.28553-12-0のジ（イソノニル）フタレートを、ｎ−ブテンに基づき、水素添加することにより得られたシクロヘキサン−１，２−ジカルボン酸のジ（イソノニル）エステル、
CAS No.28553-12-0のジ（イソノニル）フタレートを、イソブテンに基づき、水素添加することにより得られたシクロヘキサン−１，２−ジカルボン酸のジ（イソノニル）エステル、
CAS No.68515-46-8のジ（ノニル）フタレートを水素添加することにより得られたシクロヘキサンジカルボン酸の１，２−ジ−Ｃ9エステル、
CAS No.68515-49-1のジ（イソデシル）フタレートを水素添加することにより得られたシクロヘキサン−１，２−ジカルボン酸のジ（イソデシル）エステル、
CAS No.68515-42-4のフタル酸の対応するエステルを水素添加することにより得られたシクロヘキサンジカルボン酸の１，２−ジ−Ｃ7-11エステル、
CAS Nos. 111381-89-6、11138190-9、11138191-0、68515-44-6、68515-45-7及び3648-20-7のジ−Ｃ7-11フタレートを水素添加することにより得られたシクロヘキサンジカルボン酸の１，２−ジ−Ｃ7-11エステル、
CAS Nos.98515-43-5のジ−Ｃ9-11フタレートを水素添加することにより得られたシクロジカルボン酸の１，２−ジ−Ｃ9-11エステル、
ジ（２−プロピルヘプチル）フタレートを含むジ（イソデシル）フタレートを水素添加することにより得られたシクロヘキサンジカルボン酸の１，２−ジ（イソデシル）エステル、
分岐状又は直鎖状Ｃ7-9アルキルエステル基を有するフタル酸の対応のエステルを水素添加することにより得られたシクロヘキサンジカルボン酸１，２−ジ−Ｃ7-9エステル、
Ｃ10アルコール及びＣ13アルコールとの混合フタレートの水素添加生成物、
シクロヘキサン−１，２−ジカルボン酸アルキルエステル、シクロヘキサン−１，２−ジカルボン酸ジメチルエステル、シクロヘキサン−１，２−ジカルボン酸ジエチルエステル、シクロヘキサン−１，２−ジカルボン酸ジ−ｎ−プロピルエステル、シクロヘキサン−１，２−ジカルボン酸ジ−ｎ−ブチルエステル、シクロヘキサン−１，２−ジカルボン酸ジ−ｔｅｒｔ−ブチルエステル、シクロヘキサン−１，２−ジカルボン酸ジイソブチルエステル、シクロヘキサン−１，２−ジカルボン酸モノグリコールエステル、シクロヘキサン−１，２−ジカルボン酸ジグリコールエステル、シクロヘキサン−１，２−ジカルボン酸ジ−ｎ−オクチルエステル、シクロヘキサン−１，２−ジカルボン酸ジイソオクチルエステル、シクロヘキサン−１，２−ジカルボン酸ジ−２−エチルヘキシルエステル、シクロヘキサン−１，２−ジカルボン酸ジ−ｎ−ノニルエステル、シクロヘキサン−１，２−ジカルボン酸ジイソノニルエステル、シクロヘキサン−１，２−ジカルボン酸ジ−ｎ−デシルエステル、シクロヘキサン−１，２−ジカルボン酸ジイソデシルエステル、シクロヘキサン−１，２−ジカルボン酸ジ−ｎ−ウンデシルエステル、シクロヘキサン−１，２−ジカルボン酸ジイソドデシルエステル、シクロヘキサン−１，２−ジカルボン酸ジイソドデシルエステル、シクロヘキサン−１，２−ジカルボン酸ジ−ｎ−オクタデシルエステル、シクロヘキサン−１，２−ジカルボン酸ジイソオクタデシルエステル、シクロヘキサン−１，２−ジカルボン酸ジ−ｎ−エイコシルエステル、シクロヘキサン−１，２−ジカルボン酸モノシクロヘキシルエステル、シクロヘキサン−１，２−ジカルボン酸ジシクロヘキシルエステル、シクロヘキサン−１，２−ジカルボン酸ジイソプロピルエステル、シクロヘキサン−１，２−ジカルボン酸ジ−ｎ−ヘキシルエステル、シクロヘキサン−１，２−ジカルボン酸ジイソヘキシルエステル、シクロヘキサン−１，２−ジカルボン酸ジ−ｎ−ヘプチルエステル、シクロヘキサン−１，２−ジカルボン酸ジイソヘプチルエステル、シクロヘキサン−１，２−ジカルボン酸ジ−２−プロピルヘプチルエステル、シクロヘキサン−１，２−ジカルボン酸ジイソウンデシルエステル、シクロヘキサン−１，２−ジカルボン酸ジ−ｎ−ドデシルエステル、シクロヘキサン−１，２−ジカルボン酸ジ−ｎ−トリデシルエステル、シクロヘキサン−１，２−ジカルボン酸ジイソトリデシルエステル、シクロヘキサン−１，２−ジカルボン酸ジ−ｎ−ペンチルエステル、シクロヘキサン−１，２−ジカルボン酸ジイソペンチルエステル
からなる群から選択される、請求項１〜４のいずれか１項に記載の印刷インク又は印刷ラッカー。
【請求項６】
分岐状又は直鎖状Ｃ7-9アルキルエステル基を有するフタル酸の対応のエステルを水素添加することにより得られたシクロヘキサンジカルボン酸１，２−ジ−Ｃ7-9エステルが、CAS No. 111381-89-6のフタル酸のジ−Ｃ7-9アルキルフタレート、CAS No. 68515-44-6のフタル酸のジ−Ｃ7アルキルフタレート、またはCAS No. 68515-45-7のフタル酸のジ−Ｃ9アルキルフタレートであることを特徴とする請求項５に記載の印刷インク又は印刷ラッカー。
【請求項７】
シクロヘキサン−１，２−ジカルボン酸アルキルエステルがシクロヘキサン−１，２−ジカルボン酸のモノメチルエステルであることを特徴とする請求項５に記載の印刷インク又は印刷ラッカー。
【請求項８】
前記一種類以上のシクロヘキサンポリカルボン酸誘導体が混合エステルを含むエステル混合物から誘導された環状基水素添加フタレートから選択される、請求項１〜７のいずれか１項に記載の印刷インク又は印刷ラッカー。
【発明の詳細な説明】
【技術分野】
【０００１】
本発明は、シクロヘキサンポリカルボン酸誘導体を成分として含む印刷インク、特に包装材料印刷インク、及び印刷ラッカーに関する。
【背景技術】
【０００２】
オフセット印刷、活版印刷、フレキソ印刷、凹刻印刷、スクリーン印刷等の機械印刷方法として公知の技術に使用される印刷インクは、印刷供給材料と印刷インクを具備する印刷版又は印刷ブロックとの間の接触を経て、印刷供給材料に転写される。このような印刷方法に使用される印刷インクは、一般に、溶媒、着色料、及び種々の添加剤、例えば可塑剤、帯電防止剤又はワックスを含む。機械的印刷方法に使用される印刷インクの例としては、オフセット印刷と活版印刷用には高粘度のペースト状の印刷インクが、フレキソ印刷と凹刻印刷には比較的低粘度の液体状印刷インクがある。更なる詳細は、「印刷インク（Printing Inks）」−Ullmann's Encyclopedia of Industrial Chemistry、第６版、１９９９、電子版に、一例として開示されている。
【０００３】
印刷用ラッカーは、印刷供給材料の下塗り剤としても、又は印刷操作の後、印刷を施された後の印刷供給材料上への被覆としても使用可能である。例えば、下塗り剤は印刷供給材料への接着性向上のために施される。また、被覆の形態とされた印刷ラッカーは、例えば印刷されたイメージ（模様）を保護するため、又は外観向上のため、又は塗布（施与）に関連する性能を制御するために用いられる。例えば、好ましく調製された印刷ラッカーは表面粗さ、電気的特性又は水蒸気凝縮特性に影響を与えるべく使用される。印刷ラッカーは、一般には印刷機上のラッカー塗布装置により直列に施される。印刷ラッカーは着色剤を有していないが、他の成分については、通常印刷インクの成分と類似している。
【０００４】
印刷インクは、多層材料として使用される。多層材料は２種類以上のプラスチックフォイル、例えばポリオレフィンフォイル、金属フォイル、又は金属被覆されたプラスチックフォイルからなり、これらは、例えば積層（ラミネーション）、又は適する積層用接着剤の使用により相互に結合される。複合材料は、他の機能層、例えば匂い遮断層又は水蒸気遮蔽層を含んでもよい。
【０００５】
包装材料の製造に使用される多層材料は、通常は印刷されているか、被覆（塗層）を有する。印刷インクは多層材料の表面に施されてもよいが、特に二枚のフォイルの間に位置してもよい。当業者は、乾燥した状態の印刷インクにおける残留溶媒含有率が非常に低いことが、使用する成分の強度を維持するために重要である、と認識している。
【０００６】
通常、印刷インクは種々の助剤及又は添加剤、並びにバインダー、溶媒及び着色料を含む。このような助剤又は添加剤は、特に印刷インクの使用に関連する特性、例えば接着、耐摩耗性、乾燥速度、又はすべり等の特性の微細な調整に役立つ。
【０００７】
可塑剤は、例えば印刷供給材料上に設けられるインク膜の弾性を向上させることに関与する。同材料は、非吸収性印刷供給材料上、例えばポリマーフォイル又は金属フォイルへの印刷を行う場合、すなわち印刷供給材料に対して印刷インクが浸透不可能であるが、溶媒の蒸発後に印刷供給材料上に乾燥状態のフィルムが残存する場合に特に重要である。従って、このような印刷供給材料用の印刷インクは、印刷フィルムが機械的応力に晒されても基体から剥離しないように、非常に良好な皮膜形成特性、耐摩耗性及び接着性を保持しなければならない。
【０００８】
印刷インク中に、例えばフタル酸ジエステル、例えばフタル酸ジブチル、クエン酸エステル、例えばアセチルクエン酸トリブチル等の可塑剤が使用されることは公知である。
【０００９】
しかしながら、近年では、フタル酸ジエステルが健康を害する可能性があることが指摘されている。例えば、ＷＯ９９／３２４２７号公報、ＷＯ３／２９３３９号公報、ＤＥ２００２１３５６号公報、ＤＥ−Ａ２８２３１６５号公報、又はＤＥ−Ａ１２６３２９６号公報では、シクロヘキサンポリカルボン酸及びその誘導体を合成樹脂用の可塑剤として使用することが提案されている。
【００１０】
公知技術文献ではないが、先願であるＷＯ０３／２９３３９号公報には、オフセット印刷インクにおける、シクロヘキサンポリカルボン酸ジエステルと、Ｃ2−Ｃ6アルコール（補助溶媒）を使用することが開示されている。
【００１１】
しかしながら、これまでにはシクロヘキサンポリカルボン酸誘導体を印刷インク、特に包装材料の印刷インクにおける可塑剤として用いる旨の開示はなされていない。
【００１２】
【特許文献１】ＷＯ９９／３２４２７号公報
【特許文献２】ＷＯ３／２９３３９号公報
【特許文献３】ＤＥ２００２１３５６号公報
【特許文献４】ＤＥ−Ａ２８２３１６５号公報
【特許文献５】ＤＥ−Ａ１２６３２９６号公報
【発明の開示】
【発明が解決しようとする課題】
【００１３】
本発明は上記事情に鑑みてなされたものであり、その目的は改良され、製造コストの低下した印刷インク、特に包装材料用印刷インクを提供することにある。
【課題を解決するための手段】
【００１４】
上記目的を達成するため、1種類以上の溶媒又は種々の溶媒の混合物と、1種類以上の染料と、1種類以上の重合体バインダーと、及び1種類以上の添加剤と、を少なくとも含む印刷インクであって、少なくとも1種類の添加剤がフタル酸、イソフタル酸及びテレフタル酸の環状基水素添加モノ−又はジアルキルエステル、トリメリト酸、トリメシン酸、ヘミメリト酸の環状基水素添加モノ−、ジ−及びトリアルキルエステル、ピロメリット酸の環状基水素添加モノ−、ジ−、トリ−及びテトラアルキルエステル（アルキル基は直鎖状であっても分岐状であってもよく、かつ炭素原子数が１〜３０個である）からなる群から選択された1種類又は２種類以上のシクロヘキサンポリカルボン酸誘導体であることを特徴とする印刷インクが、本発明者等により見出された。
【００１５】
本発明の印刷インクは包装材料印刷インクとして好ましく使用される。
【００１６】
更に、本発明者等は1種類以上の溶媒又は種々の溶媒の混合物と、1種類以上の重合体バインダーと、1種類以上の添加剤と、を少なくとも含む印刷ラッカーであって、少なくとも1種類の添加剤がシクロヘキサンポリカルボン酸誘導体であることを特徴とする印刷ラッカーが本発明者等により見出された。
【発明を実施するための最良の形態】
【００１７】
従来の可塑剤ではなく、シクロヘキサンポリカルボン酸誘導体を用いることにより、印刷インクの特性が向上し、更に製造がコストも面で顕著に有利となることが見出された。第一に、印刷インク中の残留溶媒含有率が小さくなる。これにより、各層間の結合強度が向上した多層材料を得ることが可能とされる。これは、食品包装用に特に重要である。第二に、可塑剤の使用量が従来の可塑剤の使用量の約５０％に過ぎない場合であっても、印刷インクの柔軟性、印刷可能性、及び重ね刷り可能性についても従来と同様の効果が得られる。従って、この種の印刷インクは非常に低価格で製造される。可塑剤使用量の低下にかかわらず、印刷インクの使用上の他の重要な特性、例えば接着性、光沢、磨耗、粘度安定性を損傷することはない。
【００１８】
以下、本発明を更に詳細に説明する。
【００１９】
本発明の印刷インクは、機械印刷方法、例えばオフセット印刷、活版印刷、フレキソ印刷、凹刻印刷、スクリーン印刷等に用いられる印刷インクである。
【００２０】
本発明の印刷インクは、包装材料（用）の印刷インクとして好ましく用いられる。「包装材料（用）の印刷インク」とは文言どおりの意味を有し、同時に限定的である。包装材料用の印刷インクは、低粘度、即乾性の印刷インクであり、特に、凹刻印刷及び／又はフレキソ印刷、及び場合によりスクリーン印刷に適しており、種々のプラスチックフォイル、複合材料、紙材、厚紙、金属フォイルに対して使用される。従って、包装材料用の印刷インクは比較的低沸点の溶媒を含む。使用する溶媒の沸点は、一般には１４０℃を超過しない。スクリーン印刷インクの組成は、フレキソ印刷インクの組成又は凹刻印刷印刷インクの組成と類似しているが、粘度をやや高めに調整し、一般にはやや高い沸点を有する溶媒を使用することにより調節される。本発明の印刷インク又は印刷ラッカーは放射線硬化性印刷インクであってもよい。
【００２１】
溶媒又は溶媒混合物の性質は、印刷インク又は印刷ラッカーの特別の使用目的に応じて決定される。原則として使用可能な溶媒から当業者により適当な溶媒が選択される。溶媒又は溶媒混合物の各成分の例は、炭化水素、例えばトルエン又はキシレン、及び高沸点鉱油及び植物油、例えば大豆油である。アルコールも好適に使用され、その例はエタノール、１−プロパノール、２−プロパノール、エチレングリコール、プロピレングリコール、ジエチレングリコール、置換アルコール、例えばエトキシプロパノール、エステル、例えば酢酸エチル、酢酸イソプロピル、酢酸ｎ−プロピル、又は酢酸ｎ−ブチルである。更に、種々の溶媒の混合物を使用することも可能である。この他の原則的に適する溶媒の例は水性溶媒混合物である。溶媒使用量は、印刷インク又は印刷ラッカーの性質に応じて全成分の総量に対して１０〜８０質量％とされる。
【００２２】
包装材料用印刷インクに特に好ましく使用される溶媒の例は、特に低沸点溶媒、例えばエタノール、１−プロパノール、２−プロパノール、及び置換アルコール、例えばエトキシプロパノール又はエステル、例えば酢酸エチルである。
【００２３】
放射線硬化性印刷インクにおける粘度調整に用いられる溶媒としては、一般に上記溶媒は用いられず、反応性希釈剤が使用される。  具体例としては、アクリル酸ブチル、アクリル酸２−エチルヘキシル、及び好ましくはポリアクリレート、例えば１，４−ブタンジオールジ（メタ）アクリレート、１，６−ヘキサンジオールジ（メタ）アクリレート、又はトリメチルプロパントリ（メタ）アクリレートがある。
【００２４】
本発明の印刷インクに使用される着色剤は、慣用の染料、及び特に慣用の顔料である。無機顔料の例は、例えば二酸化チタン顔料、又は酸化鉄顔料、干渉顔料、カーボンブラック、金属粉、好ましくはアルミニウム粉、真鍮粉、銅粉、及び有機顔料、例えばアゾ顔料、フタロシアニン顔料、又はイソインドリン顔料である。また、種々の染料又は着色料の混合物を使用することも可能である。更に可溶の有機染料を使用してもよい。着色料の使用量は、印刷インクのあらゆる成分の総量に対して、一般に５〜２５質量％とされる。印刷ラッカーは着色料を含まないことは言うまでもない。
【００２５】
本発明の印刷インク及び印刷ラッカーに使用されるバインダーとしては、原則として印刷インクに慣用のバインダーが使用される。適するバインダーの例は、ポリエステル、ポリアミド、ＰＶＣ共重合体、脂肪族若しくは芳香族ケトン樹脂、メラミン−尿素樹脂、メラミン−ホルムアルデヒド樹脂、マレイネート、ロジン誘導体、カゼイン及びカゼイン誘導体、エチルセルロース、ニトロセルロース、又は芳香族若しくは脂肪族ポリウレタンである。更に、酢酸ビニル重合体若しくは共重合体、アクリレート重合体若しくは共重合体、メタクリレート重合体若しくは共重合体、ビニルピロリドン重合体若しくは共重合体、ビニルアセタール重合体若しくは共重合体を使用することも可能である。ＷＯ02/36695号公報、及びＷＯ02/36697号公報に記載されているように、官能基を有する過分岐ポリマー、例えば過分岐ポリウレタン、ポリ尿素、又はポリエステルアミドを使用すると特に有利である。相互に比較して望ましくない特性を有しない限り、種々の重合バインダーの混合物を使用することも可能である。全バインダーの使用量が、印刷インク全成分の総量に対して５〜２０質量％とされる。
【００２６】
包装材料用の印刷インクに好ましく使用されるバインダーの例は、ニトロセルロース、エチルセルロース、ヒドロキシエチルセルロース、脂肪族及び芳香族ポリウレタン並びにポリ尿素、特に高分岐ポリウレタン及びポリ尿素、及びこれらの混合物である。
【００２７】
2種類以上の異なるバインダーを組み合わせて、特にプラスチックフォイル又は金属フォイルの印刷における包装材料用インクとして用いても有効であることがわかっている。ニトロセルロースを含む組み合わせ、及び第二のバインダーを含む組み合わせ、例えばニトロセルロースを含む組み合わせ、及びポリウレタン及び／又はポリ尿素を含む組み合わせが好ましく使用され、過分岐ポリウレタンの組み合わせ、及びポリウレタンの組み合わせが特に好ましく使用される。
【００２８】
上記バインダーに特に好適に用いられる溶媒はアルコール及び／又はエステルである。
【００２９】
放射線硬化性印刷インクは、架橋性基、例えばオレフィン基、ビニルエステル基、又はエポキシ基を含むバインダーを含む。
【００３０】
更に、本発明の印刷インク及び本発明の印刷ラッカーは、1種類以上の助剤又は添加剤を含む。添加剤及び助剤の例は、フィラー、例えば炭酸カルシウム、酸化アルミニウム水和物、ケイ酸アルミニウム、又はケイ酸マグネシウムである。ワックスは耐摩耗性を向上させ、すべりを向上させる役割を果たす。特に好ましい例はポリエチレンワックス、酸化ポリエチレンワックス、石油ワックス、又はカゼインワックスである。脂肪酸アミドを用い、表面平滑性を向上させることもできる。可塑剤は、乾燥したフィルムの弾性を向上させる役割を果たす。放射線硬化性印刷インクに用いられる他の添加剤は、少なくとも1種類の光開始剤又は1種類の光開始剤組成物である。分散剤を用いて顔料を分散させることも可能である。全添加剤及び助剤の総使用量は、全成分の総量に対して、一般的には２０質量％を超過せず、好ましくは０．１〜１０質量％、特に好ましくは０．５〜５質量％とされる。
【００３１】
本発明において使用される少なくとも１種類のフィラーは、1種類以上のシクロヘキサンポリカルボン酸誘導体である。この助剤は、可塑剤として使用されると好ましく、包装材料用印刷インク中の成分として用いられると特に好ましいが、この他にも、残留溶媒含有率の低下等、結果的に有利な影響をもたらす。この他、当業者は他の効果を得る目的で助剤を用いることもある。
【００３２】
本発明に使用されるシクロヘキサンポリカルボン酸誘導体は、モノ−、ジ−、又は必要に応じてトリ−、テトラ−エステル、又はシクロヘキサンポリカルボン酸無水物であると好ましい。全てのカルボン酸基がエステル化されていると好ましい。使用されるエステルは、アルキル、シクロアルキル、及びアルコキシアルキルエステルであり、これらのアルキル基、シクロアルキル基及びアルコキシアルキル基は、通常１〜３０個、好ましくは２〜２０個、特に好ましくは３〜１８個の炭素原子を有し、これらの各基は分岐状であっても直鎖状であってもよい。
【００３３】
使用する各成分のうち、特に重要なものを以下に記載する。
【００３４】
シクロヘキサン−１，４−ジカルボン酸のアルキルエステル、例えばシクロヘキサン−１，４−ジカルボン酸モノメチルエステル、シクロヘキサン−１，４−ジカルボン酸ジメチルエステル、シクロヘキサン−１，４−ジカルボン酸ジエチルエステル、シクロヘキサン−１，４−ジカルボン酸ジ−ｎ−プロピルエステル、シクロヘキサン−１，４−ジカルボン酸ジ−ｎ−ブチルエステル、シクロヘキサン−１，４−ジカルボン酸ジ−ｔｅｒｔ−ブチルエステル、シクロヘキサン−１，４−ジカルボン酸ジイソブチルエステル、シクロヘキサン−１，４−ジカルボン酸モノグリコールエステル、シクロヘキサン−１，４−ジカルボン酸ジグリコールエステル、シクロヘキサン−１，４−ジカルボン酸ジ−ｎ−オクチルエステル、シクロヘキサン−１，４−ジカルボン酸ジイソオクチルエステル、シクロヘキサン−１，４−ジカルボン酸モノ−２−エチルヘキシルエステル、シクロヘキサン−１，４−ジカルボン酸ジ−２−エチルヘキシルエステル、シクロヘキサン−１，４−ジカルボン酸ジ−ｎ−ノニルエステル、シクロヘキサン−１，４−ジカルボン酸ジイソノニルエステル、シクロヘキサン−１，４−ジカルボン酸ジ−ｎ−デシルエステル、シクロヘキサン−１，４−ジカルボン酸ジ−ｎ−ウンデシルエステル、シクロヘキサン−１，４−ジカルボン酸ジイソデシルエステル、シクロヘキサン−１，４−ジカルボン酸ジイソドデシルエステル、シクロヘキサン−１，４−ジカルボン酸ジ−ｎ−オクタデシルエステル、シクロヘキサン−１，４−ジカルボン酸ジイソオクタデシルエステル、シクロヘキサン−１，４−ジカルボン酸ジ−ｎ−エイコシルエステル、シクロヘキサン−１，４−ジカルボン酸モノシクロヘキシルエスエル、シクロヘキサン−１，４−ジカルボン酸ジシクロヘキシルエステル、
シクロヘキサン−１，４−ジカルボン酸ジイソプロピルエステル、シクロヘキサン−１，４−ジカルボン酸ジ−ｎ−ヘキシルエステル、シクロヘキサン−１，４−ジカルボン酸ジイソヘキシルエステル、シクロヘキサン−１，４−ジカルボン酸ジ−ｎ−ヘプチルエステル、シクロヘキサン−１，４−ジカルボン酸ジイソヘプチルエステル、シクロヘキサン−１，４−ジカルボン酸ジ−２−プロピルヘプチルエステル、シクロヘキサン−１，４−ジカルボン酸ジイソウンデシルエステル、シクロヘキサン−１，４−ジカルボン酸ジ−ｎ−ドデシルエステル、シクロヘキサン−１，４−ジカルボン酸ジ−ｎ−トリデシルエステル、シクロヘキサン−１，４−ジカルボン酸ジイソトリデシルエステル、シクロヘキサン−１，４−ジカルボン酸ジ−ｎ−ペンチルエステル、シクロヘキサン−１，４−ジカルボン酸ジイソペンチルエステル、
シクロヘキサン−１，２−ジカルボン酸ジイソプロピルエステル、シクロヘキサン−１，２−ジカルボン酸ジ−ｎ−ヘキシルエステル、シクロヘキサン−１，２−ジカルボン酸ジイソヘキシルエステル、シクロヘキサン−１，２−ジカルボン酸ジ−ｎ−ヘプチルエステル、シクロヘキサン−１，２−ジカルボン酸ジイソヘプチルエステル、シクロヘキサン−１，２−ジカルボン酸ジ−２−プロピルヘプチルエステル、シクロヘキサン−１，２−ジカルボン酸ジイソウンデシルエステル、シクロヘキサン−１，２−ジカルボン酸ジ−ｎ−ドデシルエステル、シクロヘキサン−１，２−ジカルボン酸ジ−ｎ−トリデシルエステル、シクロヘキサン−１，２−ジカルボン酸ジイソトリデシルエステル、シクロヘキサン−１，２−ジカルボン酸ジ−ｎ−ペンチルエステル、シクロヘキサン−１，２−ジカルボン酸ジイソペンチルエステル、
シクロヘキサン−１，２−ジカルボン酸のアルキルエステル、例えばシクロヘキサン−１，２−ジカルボン酸モノメチルエステル、シクロヘキサン−１，２−ジカルボン酸ジメチルエステル、シクロヘキサン−１，２−ジカルボン酸ジエチルエステル、シクロヘキサン−１，２−ジカルボン酸ジ−ｎ−プロピルエステル、シクロヘキサン−１，２−ジカルボン酸ジ−ｎ−ブチルエステル、シクロヘキサン−１，２−ジカルボン酸ジ−ｔｅｒｔ−ブチルエステル、シクロヘキサン−１，２−ジカルボン酸ジイソブチルエステル、シクロヘキサン−１，２−ジカルボン酸モノグリコールエステル、シクロヘキサン−１，２−ジカルボン酸ジグリコールエステル、シクロヘキサン−１，２−ジカルボン酸ジ−ｎ−オクチルエステル、シクロヘキサン−１，２−ジカルボン酸ジイソオクチルエステル、シクロヘキサン−１，２−ジカルボン酸ジ−２−エチルヘキシルエステル、シクロヘキサン−１，２−ジカルボン酸ジ−ｎ−ノニルエステル、シクロヘキサン−１，２−ジカルボン酸ジイソノニルエステル、シクロヘキサン−１，２−ジカルボン酸ジ−ｎ−デシルエステル、シクロヘキサン−１，２−ジカルボン酸ジ−ｎ−イソデシルエステル、シクロヘキサン−１，２−ジカルボン酸ジ−ｎ−ウンデシルエステル、シクロヘキサン−１，２−ジカルボン酸ジイソドデシルエステル、シクロヘキサン−１，２−ジカルボン酸ジ−ｎ−オクタデシルエステル、シクロヘキサン−１，２−ジカルボン酸ジイソオクタデシルエステル、シクロヘキサン−１，２−ジカルボン酸ジ−ｎ−エイコシルエステル、シクロヘキサン−１，２−ジカルボン酸モノシクロヘキシルエスエル、シクロヘキサン−１，２−ジカルボン酸ジシクロヘキシルエステル、
【００３５】
シクロヘキサン−１，２−ジカルボン酸とＣ1−Ｃ13アルコールとの混合エステル、例えばシクロヘキサン−１，２−ジカルボン酸エチルメチルエステル、シクロヘキサン−１，２−ジカルボン酸ｎ−プロピルメチルエステル、シクロヘキサン−１，２−ジカルボン酸イソプロピルメチルエステル、シクロヘキサン−１，２−ジカルボン酸ｎ−ブチルメチルエステル、シクロヘキサン−１，２−ジカルボン酸ｔｅｒｔ−ブチルメチルエステル、シクロヘキサン−１，２−ジカルボン酸イソブチルメチルエステル、シクロヘキサン−１，２−ジカルボン酸グリコールメチルエステル、シクロヘキサン−１，２−ジカルボン酸ｎ−ヘキシルメチルエステル、シクロヘキサン−１，２−ジカルボン酸イソヘキシルメチルエステル、シクロヘキサン−１，２−ジカルボン酸ｎ−ヘプチルメチルエステル、シクロヘキサン−１，２−ジカルボン酸イソヘプチルメチルエステル、シクロヘキサン−１，２−ジカルボン酸ｎ−オクチルメチルエステル、シクロヘキサン−１，２−ジカルボン酸イソオクチルメチルエステル、シクロヘキサン−１，２−ジカルボン酸２−エチルヘキシルメチルエステル、シクロヘキサン−１，２−ジカルボン酸ｎ−ノニルメチルエステル、シクロヘキサン−１，２−ジカルボン酸イソノニルメチルエステル、シクロヘキサン−１，２−ジカルボン酸２−プロピルヘプチルメチルエステル、シクロヘキサン−１，２−ジカルボン酸ｎ−デシルメチルエステル、シクロヘキサン−１，２−ジカルボン酸イソデシルメチルエステル、シクロヘキサン−１，２−ジカルボン酸ｎ−ウンデシルメチルエステル、シクロヘキサン−１，２−ジカルボン酸イソウンデシルメチルエステル、シクロヘキサン−１，２−ジカルボン酸ｎ−ドデシルメチルエステル、シクロヘキサン−１，２−ジカルボン酸イソドデシルメチルエステル、シクロヘキサン−１，２−ジカルボン酸ｎ−トリデシルメチルエステル、シクロヘキサン−１，２−ジカルボン酸イソトリデシルメチルエステル、
シクロヘキサン−１，２−ジカルボン酸ｎ−プロピルエチルエステル、シクロヘキサン−１，２−ジカルボン酸イソプロピルエチルエステル、シクロヘキサン−１，２−ジカルボン酸ｎ−ブチルエチルエステル、シクロヘキサン−１，２−ジカルボン酸ｔｅｒｔ−ブチルエチルエステル、シクロヘキサン−１，２−ジカルボン酸イソブチルエチルエステル、シクロヘキサン−１，２−ジカルボン酸グリコールエチルエステル、シクロヘキサン−１，２−ジカルボン酸ｎ−ヘキシルエチルエステル、シクロヘキサン−１，２−ジカルボン酸イソヘキシルエチルエステル、シクロヘキサン−１，２−ジカルボン酸ｎ−ヘプチルエチルエステル、シクロヘキサン−１，２−ジカルボン酸イソヘプチルエチルエステル、シクロヘキサン−１，２−ジカルボン酸ｎ−オクチルエチルエステル、シクロヘキサン−１，２−ジカルボン酸イソオクチルエチルエステル、シクロヘキサン−１，２−ジカルボン酸２−エチルヘキシルエチルエステル、シクロヘキサン−１，２−ジカルボン酸ｎ−ノニルエチルエステル、シクロヘキサン−１，２−ジカルボン酸イソノニルエチルエステル、シクロヘキサン−１，２−ジカルボン酸２−プロピルヘプチルエチルエステル、シクロヘキサン−１，２−ジカルボン酸ｎ−デシルエチルエステル、シクロヘキサン−１，２−ジカルボン酸イソデシルエチルエステル、シクロヘキサン−１，２−ジカルボン酸ｎ−ウンデシルエチルエステル、シクロヘキサン−１，２−ジカルボン酸イソウンデシルエチルエステル、シクロヘキサン−１，２−ジカルボン酸ｎ−ドデシルエチルエステル、シクロヘキサン−１，２−ジカルボン酸イソドデシルエチルエステル、シクロヘキサン−１，２−ジカルボン酸ｎ−トリデシルエチルエステル、シクロヘキサン−１，２−ジカルボン酸イソトリデシルエチルエステル、
【００３６】
シクロヘキサン−１，２−ジカルボン酸イソプロピルｎ−プロピルエステル、シクロヘキサン−１，２−ジカルボン酸ｎ−ブチルｎ−プロピルエステル、シクロヘキサン−１，２−ジカルボン酸ｔｅｒｔ−ブチルｎ−プロピルエステル、シクロヘキサン−１，２−ジカルボン酸イソブチルｎ−プロピルエステル、シクロヘキサン−１，２−ジカルボン酸グリコールｎ−プロピルエステル、シクロヘキサン−１，２−ジカルボン酸ｎ−ヘキシルｎ−プロピルエステル、シクロヘキサン−１，２−ジカルボン酸イソヘキシルｎ−プロピルエステル、シクロヘキサン−１，２−ジカルボン酸ｎ−ヘプチルｎ−プロピルエステル、シクロヘキサン−１，２−ジカルボン酸イソヘプチルｎ−プロピルエステル、シクロヘキサン−１，２−ジカルボン酸ｎ−オクチルｎ−プロピルエステル、シクロヘキサン−１，２−ジカルボン酸イソオクチルｎ−プロピルエステル、シクロヘキサン−１，２−ジカルボン酸２−エチルヘキシルｎ−プロピルエステル、シクロヘキサン−１，２−ジカルボン酸ｎ−ノニルｎ−プロピルエステル、シクロヘキサン−１，２−ジカルボン酸イソノニルｎ−プロピルエステル、シクロヘキサン−１，２−ジカルボン酸２−プロピルヘプチルｎ−プロピルエステル、シクロヘキサン−１，２−ジカルボン酸ｎ−デシルｎ−プロピルエステル、シクロヘキサン−１，２−ジカルボン酸イソデシルｎ−プロピルエステル、シクロヘキサン−１，２−ジカルボン酸ｎ−ウンデシルｎ−プロピルエステル、シクロヘキサン−１，２−ジカルボン酸イソウンデシルｎ−プロピルエステル、シクロヘキサン−１，２−ジカルボン酸ｎ−ドデシルｎ−プロピルエステル、シクロヘキサン−１，２−ジカルボン酸イソドデシルｎ−プロピルエステル、シクロヘキサン−１，２−ジカルボン酸ｎ−トリデシルｎ−プロピルエステル、シクロヘキサン−１，２−ジカルボン酸イソトリデシルｎ−プロピルエステル、
シクロヘキサン−１，２−ジカルボン酸ｎ−ブチルイソプロピルエステル、シクロヘキサン−１，２−ジカルボン酸ｔｅｒｔ−ブチルイソプロピルエステル、シクロヘキサン−１，２−ジカルボン酸イソブチルイソプロピルエステル、シクロヘキサン−１，２−ジカルボン酸グリコールイソプロピルエステル、シクロヘキサン−１，２−ジカルボン酸ｎ−ヘキシルイソプロピルエステル、シクロヘキサン−１，２−ジカルボン酸イソヘキシルイソプロピルエステル、シクロヘキサン−１，２−ジカルボン酸ｎ−ヘプチルイソプロピルエステル、シクロヘキサン−１，２−ジカルボン酸イソヘプチルイソプロピルエステル、シクロヘキサン−１，２−ジカルボン酸ｎ−オクチルイソプロピルエステル、シクロヘキサン−１，２−ジカルボン酸イソオクチルイソプロピルエステル、シクロヘキサン−１，２−ジカルボン酸２−エチルヘキシルイソプロピルエステル、シクロヘキサン−１，２−ジカルボン酸ｎ−ノニルイソプロピルエステル、シクロヘキサン−１，２−ジカルボン酸イソノニルイソプロピルエステル、シクロヘキサン−１，２−ジカルボン酸２−プロピルヘプチルイソプロピルエステル、シクロヘキサン−１，２−ジカルボン酸ｎ−デシルイソプロピルエステル、シクロヘキサン−１，２−ジカルボン酸イソデシルイソプロピルエステル、シクロヘキサン−１，２−ジカルボン酸ｎ−ウンデシルイソプロピルエステル、シクロヘキサン−１，２−ジカルボン酸イソウンデシルイソプロピルエステル、シクロヘキサン−１，２−ジカルボン酸ｎ−ドデシルイソプロピルエステル、シクロヘキサン−１，２−ジカルボン酸イソドデシルイソプロピルエステル、シクロヘキサン−１，２−ジカルボン酸ｎ−トリデシルイソプロピルエステル、シクロヘキサン−１，２−ジカルボン酸イソトリデシルイソプロピルエステル、
シクロヘキサン−１，２−ジカルボン酸ｔｅｒｔ−ブチルｎ−ブチルエステル、シクロヘキサン−１，２−ジカルボン酸イソブチルｎ−ブチルエステル、シクロヘキサン−１，２−ジカルボン酸グリコールｎ−ブチルエステル、シクロヘキサン−１，２−ジカルボン酸ｎ−ヘキシルｎ−ブチルエステル、シクロヘキサン−１，２−ジカルボン酸イソヘキシルｎ−ブチルエステル、シクロヘキサン−１，２−ジカルボン酸ｎ−ヘプチルｎ−ブチルエステル、シクロヘキサン−１，２−ジカルボン酸イソヘプチルｎ−ブチルエステル、シクロヘキサン−１，２−ジカルボン酸ｎ−オクチルｎ−ブチルエステル、シクロヘキサン−１，２−ジカルボン酸イソオクチルｎ−ブチルエステル、シクロヘキサン−１，２−ジカルボン酸２−エチルヘキシルｎ−ブチルエステル、シクロヘキサン−１，２−ジカルボン酸ｎ−ノニルｎ−ブチルエステル、シクロヘキサン−１，２−ジカルボン酸イソノニルｎ−ブチルエステル、シクロヘキサン−１，２−ジカルボン酸２−プロピルヘプチルｎ−ブチルエステル、シクロヘキサン−１，２−ジカルボン酸ｎ−デシルｎ−ブチルエステル、シクロヘキサン−１，２−ジカルボン酸イソデシルｎ−ブチルエステル、シクロヘキサン−１，２−ジカルボン酸ｎ−ウンデシルｎ−ブチルエステル、シクロヘキサン−１，２−ジカルボン酸イソウンデシルｎ−ブチルエステル、シクロヘキサン−１，２−ジカルボン酸ｎ−ドデシルｎ−ブチルエステル、シクロヘキサン−１，２−ジカルボン酸イソドデシルｎ−ブチルエステル、シクロヘキサン−１，２−ジカルボン酸ｎ−トリデシルｎ−ブチルエステル、シクロヘキサン−１，２−ジカルボン酸イソトリデシルｎ−ブチルエステル、
【００３７】
シクロヘキサン−１，２−ジカルボン酸イソブチルｔｅｒｔ−ブチルエステル、シクロヘキサン−１，２−ジカルボン酸グリコールｔｅｒｔ−ブチルエステル、シクロヘキサン−１，２−ジカルボン酸ｎ−ヘキシルｔｅｒｔ−ブチルエステル、シクロヘキサン−１，２−ジカルボン酸イソヘキシルｔｅｒｔ−ブチルエステル、シクロヘキサン−１，２−ジカルボン酸ｎ−ヘプチルｔｅｒｔ−ブチルエステル、シクロヘキサン−１，２−ジカルボン酸イソヘプチルｔｅｒｔ−ブチルエステル、シクロヘキサン−１，２−ジカルボン酸ｎ−オクチルｔｅｒｔ−ブチルエステル、シクロヘキサン−１，２−ジカルボン酸イソオクチルｔｅｒｔ−ブチルエステル、シクロヘキサン−１，２−ジカルボン酸２−エチルヘキシルｔｅｒｔ−ブチルエステル、シクロヘキサン−１，２−ジカルボン酸ｎ−ノニルｔｅｒｔ−ブチルエステル、シクロヘキサン−１，２−ジカルボン酸イソノニルｔｅｒｔ−ブチルエステル、シクロヘキサン−１，２−ジカルボン酸２−プロピルヘプチルｔｅｒｔ−ブチルエステル、シクロヘキサン−１，２−ジカルボン酸ｎ−デシルｔｅｒｔ−ブチルエステル、シクロヘキサン−１，２−ジカルボン酸イソデシルｔｅｒｔ−ブチルエステル、シクロヘキサン−１，２−ジカルボン酸ｎ−ウンデシルｔｅｒｔ−ブチルエステル、シクロヘキサン−１，２−ジカルボン酸イソウンデシルｔｅｒｔ−ブチルエステル、シクロヘキサン−１，２−ジカルボン酸ｎ−ドデシルｔｅｒｔ−ブチルエステル、シクロヘキサン−１，２−ジカルボン酸イソドデシルｔｅｒｔ−ブチルエステル、シクロヘキサン−１，２−ジカルボン酸ｎ−トリデシルｔｅｒｔ−ブチルエステル、シクロヘキサン−１，２−ジカルボン酸イソトリデシルｔｅｒｔ−ブチルエステル、
シクロヘキサン−１，２−ジカルボン酸グリコールイソブチルエステル、シクロヘキサン−１，２−ジカルボン酸ｎ−ヘキシルイソブチルエステル、シクロヘキサン−１，２−ジカルボン酸イソヘキシルイソブチルエステル、シクロヘキサン−１，２−ジカルボン酸ｎ−ヘプチルイソブチルエステル、シクロヘキサン−１，２−ジカルボン酸イソヘプチルイソブチルエステル、シクロヘキサン−１，２−ジカルボン酸ｎ−オクチルイソブチルエステル、シクロヘキサン−１，２−ジカルボン酸イソオクチルイソブチルエステル、シクロヘキサン−１，２−ジカルボン酸２−エチルヘキシルイソブチルエステル、シクロヘキサン−１，２−ジカルボン酸ｎ−ノニルイソブチルエステル、シクロヘキサン−１，２−ジカルボン酸イソノニルイソブチルエステル、シクロヘキサン−１，２−ジカルボン酸２−プロピルヘプチルイソブチルエステル、シクロヘキサン−１，２−ジカルボン酸ｎ−デシルイソブチルエステル、シクロヘキサン−１，２−ジカルボン酸イソデシルイソブチルエステル、シクロヘキサン−１，２−ジカルボン酸ｎ−ウンデシルイソブチルエステル、シクロヘキサン−１，２−ジカルボン酸イソウンデシルイソブチルエステル、シクロヘキサン−１，２−ジカルボン酸ｎ−ドデシルイソブチルエステル、シクロヘキサン−１，２−ジカルボン酸イソドデシルイソブチルエステル、シクロヘキサン−１，２−ジカルボン酸ｎ−トリデシルイソブチルエステル、シクロヘキサン−１，２−ジカルボン酸イソトリデシルイソブチルエステル、
【００３８】
シクロヘキサン−１，２−ジカルボン酸ｎ−ヘキシルグリコールエステル、シクロヘキサン−１，２−ジカルボン酸イソヘキシルグリコールエステル、シクロヘキサン−１，２−ジカルボン酸ｎ−ヘプチルグリコールエステル、シクロヘキサン−１，２−ジカルボン酸イソヘプチルグリコールエステル、シクロヘキサン−１，２−ジカルボン酸ｎ−オクチルグリコールエステル、シクロヘキサン−１，２−ジカルボン酸イソオクチルグリコールエステル、シクロヘキサン−１，２−ジカルボン酸２−エチルヘキシルグリコールエステル、シクロヘキサン−１，２−ジカルボン酸ｎ−ノニルグリコールエステル、シクロヘキサン−１，２−ジカルボン酸イソノニルグリコールエステル、シクロヘキサン−１，２−ジカルボン酸２−プロピルヘプチルグリコールエステル、シクロヘキサン−１，２−ジカルボン酸ｎ−デシルグリコールエステル、シクロヘキサン−１，２−ジカルボン酸イソデシルグリコールエステル、シクロヘキサン−１，２−ジカルボン酸ｎ−ウンデシルグリコールエステル、シクロヘキサン−１，２−ジカルボン酸イソウンデシルグリコールエステル、シクロヘキサン−１，２−ジカルボン酸ｎ−ドデシルグリコールエステル、シクロヘキサン−１，２−ジカルボン酸イソドデシルグリコールエステル、シクロヘキサン−１，２−ジカルボン酸ｎ−トリデシルグリコールエステル、シクロヘキサン−１，２−ジカルボン酸イソトリデシルグリコールエステル、
シクロヘキサン−１，２−ジカルボン酸イソヘキシルｎ−ヘキシルエステル、シクロヘキサン−１，２−ジカルボン酸ｎ−ヘプチルｎ−ヘキシルエステル、シクロヘキサン−１，２−ジカルボン酸イソヘプチルｎ−ヘキシルエステル、シクロヘキサン−１，２−ジカルボン酸ｎ−オクチルｎ−ヘキシルエステル、シクロヘキサン−１，２−ジカルボン酸イソオクチルｎ−ヘキシルエステル、シクロヘキサン−１，２−ジカルボン酸２−エチルヘキシルｎ−ヘキシルエステル、シクロヘキサン−１，２−ジカルボン酸ｎ−ノニルｎ−ヘキシルエステル、シクロヘキサン−１，２−ジカルボン酸イソノニルｎ−ヘキシルエステル、シクロヘキサン−１，２−ジカルボン酸２−プロピルヘプチルｎ−ヘキシルエステル、シクロヘキサン−１，２−ジカルボン酸ｎ−デシルｎ−ヘキシルエステル、シクロヘキサン−１，２−ジカルボン酸イソデシルｎ−ヘキシルエステル、シクロヘキサン−１，２−ジカルボン酸ｎ−ウンデシルｎ−ヘキシルエステル、シクロヘキサン−１，２−ジカルボン酸イソウンデシルｎ−ヘキシルエステル、シクロヘキサン−１，２−ジカルボン酸ｎ−ドデシルｎ−ヘキシルエステル、シクロヘキサン−１，２−ジカルボン酸イソドデシルｎ−ヘキシルエステル、シクロヘキサン−１，２−ジカルボン酸ｎ−トリデシルｎ−ヘキシルエステル、シクロヘキサン−１，２−ジカルボン酸イソトリデシルｎ−ヘキシルエステル、
シクロヘキサン−１，２−ジカルボン酸ｎ−ヘプチルイソヘキシルエステル、シクロヘキサン−１，２−ジカルボン酸イソヘプチルイソヘキシルエステル、シクロヘキサン−１，２−ジカルボン酸ｎ−オクチルイソヘキシルエステル、シクロヘキサン−１，２−ジカルボン酸イソオクチルイソヘキシルエステル、シクロヘキサン−１，２−ジカルボン酸２−エチルヘキシルイソヘキシルエステル、シクロヘキサン−１，２−ジカルボン酸ｎ−ノニルイソヘキシルエステル、シクロヘキサン−１，２−ジカルボン酸イソノニルイソヘキシルエステル、シクロヘキサン−１，２−ジカルボン酸２−プロピルヘプチルイソヘキシルエステル、シクロヘキサン−１，２−ジカルボン酸ｎ−デシルイソヘキシルエステル、シクロヘキサン−１，２−ジカルボン酸イソデシルイソヘキシルエステル、シクロヘキサン−１，２−ジカルボン酸ｎ−ウンデシルイソヘキシルエステル、シクロヘキサン−１，２−ジカルボン酸イソウンデシルイソヘキシルエステル、シクロヘキサン−１，２−ジカルボン酸ｎ−ドデシルイソヘキシルエステル、シクロヘキサン−１，２−ジカルボン酸イソドデシルイソヘキシルエステル、シクロヘキサン−１，２−ジカルボン酸ｎ−トリデシルイソヘキシルエステル、シクロヘキサン−１，２−ジカルボン酸イソトリデシルイソヘキシルエステル、
【００３９】
シクロヘキサン−１，２−ジカルボン酸イソヘプチルｎ−ヘプチルエステル、シクロヘキサン−１，２−ジカルボン酸ｎ−オクチルｎ−ヘプチルエステル、シクロヘキサン−１，２−ジカルボン酸イソオクチルｎ−ヘプチルエステル、シクロヘキサン−１，２−ジカルボン酸２−エチルヘキシルｎ−ヘプチルエステル、シクロヘキサン−１，２−ジカルボン酸ｎ−ノニルｎ−ヘプチルエステル、シクロヘキサン−１，２−ジカルボン酸イソノニルｎ−ヘプチルエステル、シクロヘキサン−１，２−ジカルボン酸２−プロピルヘプチルｎ−ヘプチルエステル、シクロヘキサン−１，２−ジカルボン酸ｎ−デシルｎ−ヘプチルエステル、シクロヘキサン−１，２−ジカルボン酸イソデシルｎ−ヘプチルエステル、シクロヘキサン−１，２−ジカルボン酸ｎ−ウンデシルｎ−ヘプチルエステル、シクロヘキサン−１，２−ジカルボン酸イソウンデシルｎ−ヘプチルエステル、シクロヘキサン−１，２−ジカルボン酸ｎ−ドデシルｎ−ヘプチルエステル、シクロヘキサン−１，２−ジカルボン酸イソドデシルｎ−ヘプチルエステル、シクロヘキサン−１，２−ジカルボン酸ｎ−トリデシルｎ−ヘプチルエステル、シクロヘキサン−１，２−ジカルボン酸イソトリデシルｎ−ヘプチルエステル、
シクロヘキサン−１，２−ジカルボン酸ｎ−オクチルイソヘプチルエステル、シクロヘキサン−１，２−ジカルボン酸イソオクチルイソヘプチルエステル、シクロヘキサン−１，２−ジカルボン酸２−エチルヘキシルイソヘプチルエステル、シクロヘキサン−１，２−ジカルボン酸ｎ−ノニルイソヘプチルエステル、シクロヘキサン−１，２−ジカルボン酸イソノニルイソヘプチルエステル、シクロヘキサン−１，２−ジカルボン酸２−プロピルヘプチルイソヘプチルエステル、シクロヘキサン−１，２−ジカルボン酸ｎ−デシルイソヘプチルエステル、シクロヘキサン−１，２−ジカルボン酸イソデシルイソヘプチルエステル、シクロヘキサン−１，２−ジカルボン酸ｎ−ウンデシルイソヘプチルエステル、シクロヘキサン−１，２−ジカルボン酸イソウンデシルイソヘプチルエステル、シクロヘキサン−１，２−ジカルボン酸ｎ−ドデシルイソヘプチルエステル、シクロヘキサン−１，２−ジカルボン酸イソドデシルイソヘプチルエステル、シクロヘキサン−１，２−ジカルボン酸ｎ−トリデシルイソヘプチルエステル、シクロヘキサン−１，２−ジカルボン酸イソトリデシルイソヘプチルエステル、
シクロヘキサン−１，２−ジカルボン酸イソオクチルｎ−オクチルエステル、シクロヘキサン−１，２−ジカルボン酸２−エチルヘキシルｎ−オクチルエステル、シクロヘキサン−１，２−ジカルボン酸ｎ−ノニルｎ−オクチルエステル、シクロヘキサン−１，２−ジカルボン酸イソノニルｎ−オクチルエステル、シクロヘキサン−１，２−ジカルボン酸２−プロピルヘプチルｎ−オクチルエステル、シクロヘキサン−１，２−ジカルボン酸ｎ−デシルｎ−オクチルエステル、シクロヘキサン−１，２−ジカルボン酸イソデシルｎ−オクチルエステル、シクロヘキサン−１，２−ジカルボン酸ｎ−ウンデシルｎ−オクチルエステル、シクロヘキサン−１，２−ジカルボン酸イソウンデシルｎ−オクチルエステル、シクロヘキサン−１，２−ジカルボン酸ｎ−ドデシルｎ−オクチルエステル、シクロヘキサン−１，２−ジカルボン酸イソドデシルｎ−オクチルエステル、シクロヘキサン−１，２−ジカルボン酸ｎ−トリデシルｎ−オクチルエステル、シクロヘキサン−１，２−ジカルボン酸イソトリデシルｎ−オクチルエステル、
シクロヘキサン−１，２−ジカルボン酸２−エチルヘキシルイソオクチルエステル、シクロヘキサン−１，２−ジカルボン酸ｎ−ノニルイソオクチルエステル、シクロヘキサン−１，２−ジカルボン酸イソノニルイソオクチルエステル、シクロヘキサン−１，２−ジカルボン酸２−プロピルヘプチルイソオクチルエステル、シクロヘキサン−１，２−ジカルボン酸ｎ−デシルイソオクチルエステル、シクロヘキサン−１，２−ジカルボン酸イソデシルイソオクチルエステル、シクロヘキサン−１，２−ジカルボン酸ｎ−ウンデシルイソオクチルエステル、シクロヘキサン−１，２−ジカルボン酸イソウンデシルイソオクチルエステル、シクロヘキサン−１，２−ジカルボン酸ｎ−ドデシルイソオクチルエステル、シクロヘキサン−１，２−ジカルボン酸イソドデシルイソオクチルエステル、シクロヘキサン−１，２−ジカルボン酸ｎ−トリデシルイソオクチルエステル、シクロヘキサン−１，２−ジカルボン酸イソトリデシルイソオクチルエステル、
【００４０】
シクロヘキサン−１，２−ジカルボン酸ｎ−ノニル２−エチルヘキシルエステル、シクロヘキサン−１，２−ジカルボン酸イソノニル２−エチルヘキシルエステル、シクロヘキサン−１，２−ジカルボン酸２−プロピルヘプチル２−エチルヘキシルエステル、シクロヘキサン−１，２−ジカルボン酸ｎ−デシル２−エチルヘキシルエステル、シクロヘキサン−１，２−ジカルボン酸イソデシル２−エチルヘキシルエステル、シクロヘキサン−１，２−ジカルボン酸ｎ−ウンデシル２−エチルヘキシルエステル、シクロヘキサン−１，２−ジカルボン酸イソウンデシル２−エチルヘキシルエステル、シクロヘキサン−１，２−ジカルボン酸ｎ−ドデシル２−エチルヘキシルエステル、シクロヘキサン−１，２−ジカルボン酸イソドデシル２−エチルヘキシルエステル、シクロヘキサン−１，２−ジカルボン酸ｎ−トリデシル２−エチルヘキシルエステル、シクロヘキサン−１，２−ジカルボン酸イソトリデシル２−エチルヘキシルエステル、
シクロヘキサン−１，２−ジカルボン酸イソノニルｎ−ノニルエステル、シクロヘキサン−１，２−ジカルボン酸２−プロピルヘプチルｎ−ノニルエステル、シクロヘキサン−１，２−ジカルボン酸ｎ−デシルｎ−ノニルエステル、シクロヘキサン−１，２−ジカルボン酸イソデシルｎ−ノニルエステル、シクロヘキサン−１，２−ジカルボン酸ｎ−ウンデシルｎ−ノニルエステル、シクロヘキサン−１，２−ジカルボン酸イソウンデシルｎ−ノニルエステル、シクロヘキサン−１，２−ジカルボン酸ｎ−ドデシルｎ−ノニルエステル、シクロヘキサン−１，２−ジカルボン酸イソドデシルｎ−ノニルエステル、シクロヘキサン−１，２−ジカルボン酸ｎ−トリデシルｎ−ノニルエステル、シクロヘキサン−１，２−ジカルボン酸イソトリデシルｎ−ノニルエステル、
シクロヘキサン−１，２−ジカルボン酸２−プロピルヘプチルイソノニルエステル、シクロヘキサン−１，２−ジカルボン酸ｎ−デシルイソノニルエステル、シクロヘキサン−１，２−ジカルボン酸イソデシルイソノニルエステル、シクロヘキサン−１，２−ジカルボン酸ｎ−ウンデシルイソノニルエステル、シクロヘキサン−１，２−ジカルボン酸イソウンデシルイソノニルエステル、シクロヘキサン−１，２−ジカルボン酸ｎ−ドデシルイソノニルエステル、シクロヘキサン−１，２−ジカルボン酸イソドデシルイソノニルエステル、シクロヘキサン−１，２−ジカルボン酸ｎ−トリデシルイソノニルエステル、シクロヘキサン−１，２−ジカルボン酸イソトリデシルイソノニルエステル、
シクロヘキサン−１，２−ジカルボン酸ｎ−デシル２−プロピルヘプチルエステル、シクロヘキサン−１，２−ジカルボン酸イソデシル２−プロピルヘプチルエステル、シクロヘキサン−１，２−ジカルボン酸ｎ−ウンデシル２−プロピルヘプチルエステル、シクロヘキサン−１，２−ジカルボン酸イソウンデシル２−プロピルヘプチルエステル、シクロヘキサン−１，２−ジカルボン酸ｎ−ドデシル２−プロピルヘプチルエステル、シクロヘキサン−１，２−ジカルボン酸イソドデシル２−プロピルヘプチルエステル、シクロヘキサン−１，２−ジカルボン酸ｎ−トリデシル２−プロピルヘプチルエステル、シクロヘキサン−１，２−ジカルボン酸イソトリデシル２−プロピルヘプチルエステル、
シクロヘキサン−１，２−ジカルボン酸イソデシルｎ−デシルエステル、シクロヘキサン−１，２−ジカルボン酸ｎ−ウンデシルｎ−デシルエステル、シクロヘキサン−１，２−ジカルボン酸イソウンデシルｎ−デシルエステル、シクロヘキサン−１，２−ジカルボン酸ｎ−ドデシルｎ−デシルエステル、シクロヘキサン−１，２−ジカルボン酸イソドデシルｎ−デシルエステル、シクロヘキサン−１，２−ジカルボン酸ｎ−トリデシルｎ−デシルエステル、シクロヘキサン−１，２−ジカルボン酸イソトリデシルｎ−デシルエステル、
シクロヘキサン−１，２−ジカルボン酸ｎ−ウンデシルイソデシルエステル、シクロヘキサン−１，２−ジカルボン酸イソウンデシルイソデシルエステル、シクロヘキサン−１，２−ジカルボン酸ｎ−ドデシルイソデシルエステル、シクロヘキサン−１，２−ジカルボン酸イソドデシルイソデシルエステル、シクロヘキサン−１，２−ジカルボン酸ｎ−トリデシルイソデシルエステル、シクロヘキサン−１，２−ジカルボン酸イソトリデシルイソデシルエステル、
【００４１】
シクロヘキサン−１，２−ジカルボン酸イソウンデシルｎ−ウンデシルエステル、シクロヘキサン−１，２−ジカルボン酸ｎ−ドデシルｎ−ウンデシルエステル、シクロヘキサン−１，２−ジカルボン酸イソドデシルｎ−ウンデシルエステル、シクロヘキサン−１，２−ジカルボン酸ｎ−トリデシルｎ−ウンデシルエステル、シクロヘキサン−１，２−ジカルボン酸イソトリデシルｎ−ウンデシルエステル、
シクロヘキサン−１，２−ジカルボン酸ｎ−ドデシルイソウンデシルエステル、シクロヘキサン−１，２−ジカルボン酸イソドデシルイソウンデシルエステル、シクロヘキサン−１，２−ジカルボン酸ｎ−トリデシルイソウンデシルエステル、シクロヘキサン−１，２−ジカルボン酸イソトリデシルイソウンデシルエステル、
シクロヘキサン−１，２−ジカルボン酸イソドデシルｎ−ドデシルエステル、シクロヘキサン−１，２−ジカルボン酸ｎ−トリデシルｎ−ドデシルエステル、シクロヘキサン−１，２−ジカルボン酸イソトリデシルｎ−ドデシルエステル、
シクロヘキサン−１，２−ジカルボン酸ｎ−トリデシルイソドデシルエステル、シクロヘキサン−１，２−ジカルボン酸イソトリデシルイソドデシルエステル、
シクロヘキサン−１，２−ジカルボン酸イソトリデシルｎ−トリデシルエステル、
シクロヘキサン−１，２−ジカルボン酸メチルシクロヘキシルエステル、シクロヘキサン−１，２−ジカルボン酸エチルシクロヘキシルエステル、シクロヘキサン−１，２−ジカルボン酸ｎ−プロピルシクロヘキシルエステル、シクロヘキサン−１，２−ジカルボン酸イソプロピルシクロヘキシルエステル、シクロヘキサン−１，２−ジカルボン酸ｎ−ブチルシクロヘキシルエステル、シクロヘキサン−１，２−ジカルボン酸ｔｅｒｔ−ブチルシクロヘキシルエステル、シクロヘキサン−１，２−ジカルボン酸イソブチルシクロヘキシルエステル、シクロヘキサン−１，２−ジカルボン酸グリコールシクロヘキシルシルエステル、シクロヘキサン−１，２−ジカルボン酸ｎ−ヘキシルシクロヘキシルエステル、シクロヘキサン−１，２−ジカルボン酸イソヘキシルシクロヘキシルエステル、シクロヘキサン−１，２−ジカルボン酸ｎ−ヘプチルシクロヘキシルエステル、シクロヘキサン−１，２−ジカルボン酸イソヘプチルシクロヘキシルエステル、シクロヘキサン−１，２−ジカルボン酸ｎ−オクチルシクロヘキシルエステル、シクロヘキサン−１，２−ジカルボン酸イソオクチルシクロヘキシルエステル、シクロヘキサン−１，２−ジカルボン酸２−エチルヘキシルシクロヘキシルエステル、シクロヘキサン−１，２−ジカルボン酸ｎ−ノニルシクロヘキシルエステル、シクロヘキサン−１，２−ジカルボン酸イソノニルシクロヘキシルエステル、シクロヘキサン−１，２−ジカルボン酸２−プロピルヘプチルシクロヘキシルエステル、シクロヘキサン−１，２−ジカルボン酸ｎ−デシルシクロヘキシルエステル、シクロヘキサン−１，２−ジカルボン酸イソデシルシクロヘキシルエステル、シクロヘキサン−１，２−ジカルボン酸ｎ−ウンデシルシクロヘキシルエステル、シクロヘキサン−１，２−ジカルボン酸イソウンデシルシクロヘキシルエステル、シクロヘキサン−１，２−ジカルボン酸ｎ−ドデシルシクロヘキシルエステル、シクロヘキサン−１，２−ジカルボン酸イソドデシルシクロヘキシルエステル、シクロヘキサン−１，２−ジカルボン酸ｎ−トリデシルシクロヘキシルエステル、シクロヘキサン−１，２−ジカルボン酸イソトリデシルシクロヘキシルエステル、
シクロヘキサン−１，２−ジカルボン酸メチルイソペンチルエステル、シクロヘキサン−１，２−ジカルボン酸エチルイソペンチルエステル、シクロヘキサン−１，２−ジカルボン酸ｎ−プロピルイソペンチルエステル、シクロヘキサン−１，２−ジカルボン酸イソプロピルイソペンチルエステル、シクロヘキサン−１，２−ジカルボン酸ｎ−ブチルイソペンチルエステル、シクロヘキサン−１，２−ジカルボン酸ｔｅｒｔ−ブチルイソペンチルエステル、シクロヘキサン−１，２−ジカルボン酸イソブチルイソペンチルエステル、シクロヘキサン−１，２−ジカルボン酸グリコールイソペンチルエステル、シクロヘキサン−１，２−ジカルボン酸ｎ−ヘキシルイソペンチルエステル、シクロヘキサン−１，２−ジカルボン酸イソヘキシルイソペンチルエステル、シクロヘキサン−１，２−ジカルボン酸ｎ−ヘプチルイソペンチルエステル、シクロヘキサン−１，２−ジカルボン酸イソヘプチルイソペンチルエステル、シクロヘキサン−１，２−ジカルボン酸ｎ−オクチルイソペンチルエステル、シクロヘキサン−１，２−ジカルボン酸イソオクチルイソペンチルエステル、シクロヘキサン−１，２−ジカルボン酸２−エチルヘキシルイソペンチルエステル、シクロヘキサン−１，２−ジカルボン酸ｎ−ノニルイソペンチルエステル、シクロヘキサン−１，２−ジカルボン酸イソノニルイソペンチルエステル、シクロヘキサン−１，２−ジカルボン酸２−プロピルヘプチルイソペンチルエステル、シクロヘキサン−１，２−ジカルボン酸ｎ−デシルイソペンチルエステル、シクロヘキサン−１，２−ジカルボン酸イソデシルイソペンチルエステル、シクロヘキサン−１，２−ジカルボン酸ｎ−ウンデシルイソペンチルエステル、シクロヘキサン−１，２−ジカルボン酸イソウンデシルイソペンチルエステル、シクロヘキサン−１，２−ジカルボン酸ｎ−ドデシルイソペンチルエステル、シクロヘキサン−１，２−ジカルボン酸イソドデシルイソペンチルエステル、シクロヘキサン−１，２−ジカルボン酸ｎ−トリデシルイソペンチルエステル、シクロヘキサン−１，２−ジカルボン酸イソトリデシルイソペンチルエステル、
【００４２】
シクロヘキサン−１，２−ジカルボン酸メチルｎ−ペンチルエステル、シクロヘキサン−１，２−ジカルボン酸エチルｎ−ペンチルエステル、シクロヘキサン−１，２−ジカルボン酸ｎ−プロピルｎ−ペンチルエステル、シクロヘキサン−１，２−ジカルボン酸イソプロピルｎ−ペンチルエステル、シクロヘキサン−１，２−ジカルボン酸ｎ−ブチルｎ−ペンチルエステル、シクロヘキサン−１，２−ジカルボン酸ｔｅｒｔ−ブチルｎ−ペンチルエステル、シクロヘキサン−１，２−ジカルボン酸イソブチルｎ−ペンチルエステル、シクロヘキサン−１，２−ジカルボン酸グリコールｎ−ペンチルエステル、シクロヘキサン−１，２−ジカルボン酸ｎ−ヘキシルｎ−ペンチルエステル、シクロヘキサン−１，２−ジカルボン酸イソヘキシルｎ−ペンチルエステル、シクロヘキサン−１，２−ジカルボン酸ｎ−ヘプチルｎ−ペンチルエステル、シクロヘキサン−１，２−ジカルボン酸イソヘプチルｎ−ペンチルエステル、シクロヘキサン−１，２−ジカルボン酸ｎ−オクチルｎ−ペンチルエステル、シクロヘキサン−１，２−ジカルボン酸イソオクチルｎ−ペンチルエステル、シクロヘキサン−１，２−ジカルボン酸２−エチルヘキシルｎ−ペンチルエステル、シクロヘキサン−１，２−ジカルボン酸ｎ−ノニルｎ−ペンチルエステル、シクロヘキサン−１，２−ジカルボン酸イソノニルｎ−ペンチルエステル、シクロヘキサン−１，２−ジカルボン酸２−プロピルヘプチルｎ−ペンチルエステル、シクロヘキサン−１，２−ジカルボン酸ｎ−デシルｎ−ペンチルエステル、シクロヘキサン−１，２−ジカルボン酸イソデシルｎ−ペンチルエステル、シクロヘキサン−１，２−ジカルボン酸ｎ−ウンデシルｎ−ペンチルエステル、シクロヘキサン−１，２−ジカルボン酸イソウンデシルｎ−ペンチルエステル、シクロヘキサン−１，２−ジカルボン酸ｎ−ドデシルｎ−ペンチルエステル、シクロヘキサン−１，２−ジカルボン酸イソドデシルｎ−ペンチルエステル、シクロヘキサン−１，２−ジカルボン酸ｎ−トリデシルｎ−ペンチルエステル、シクロヘキサン−１，２−ジカルボン酸イソトリデシルｎ−ペンチルエステル、
シクロヘキサン−１，３−ジカルボン酸とＣ1−Ｃ13アルコールとの混合エステル、例えばシクロヘキサン−１，３−ジカルボン酸エチルメチルエステル、シクロヘキサン−１，３−ジカルボン酸ｎ−プロピルメチルエステル、シクロヘキサン−１，３−ジカルボン酸イソプロピルメチルエステル、シクロヘキサン−１，３−ジカルボン酸ｎ−ブチルメチルエステル、シクロヘキサン−１，３−ジカルボン酸ｔｅｒｔ−ブチルメチルエステル、シクロヘキサン−１，３−ジカルボン酸イソブチルメチルエステル、シクロヘキサン−１，３−ジカルボン酸グリコールメチルエステル、シクロヘキサン−１，３−ジカルボン酸ｎ−ヘキシルメチルエステル、シクロヘキサン−１，３−ジカルボン酸イソヘキシルメチルエステル、シクロヘキサン−１，３−ジカルボン酸ｎ−ヘプチルメチルエステル、シクロヘキサン−１，３−ジカルボン酸イソヘプチルメチルエステル、シクロヘキサン−１，３−ジカルボン酸ｎ−オクチルメチルエステル、シクロヘキサン−１，３−ジカルボン酸イソオクチルメチルエステル、シクロヘキサン−１，３−ジカルボン酸２−エチルヘキシルメチルエステル、シクロヘキサン−１，３−ジカルボン酸ｎ−ノニルメチルエステル、シクロヘキサン−１，３−ジカルボン酸イソノニルメチルエステル、シクロヘキサン−１，３−ジカルボン酸２−プロピルヘプチルメチルエステル、シクロヘキサン−１，３−ジカルボン酸ｎ−デシルメチルエステル、シクロヘキサン−１，３−ジカルボン酸イソデシルメチルエステル、シクロヘキサン−１，３−ジカルボン酸ｎ−ウンデシルメチルエステル、シクロヘキサン−１，３−ジカルボン酸イソウンデシルメチルエステル、シクロヘキサン−１，３−ジカルボン酸ｎ−ドデシルメチルエステル、シクロヘキサン−１，３−ジカルボン酸イソドデシルメチルエステル、シクロヘキサン−１，３−ジカルボン酸ｎ−トリデシルメチルエステル、シクロヘキサン−１，３−ジカルボン酸イソトリデシルメチルエステル、
【００４３】
シクロヘキサン−１，３−ジカルボン酸ｎ−プロピルエチルエステル、シクロヘキサン−１，３−ジカルボン酸イソプロピルエチルエステル、シクロヘキサン−１，３−ジカルボン酸ｎ−ブチルエチルエステル、シクロヘキサン−１，３−ジカルボン酸ｔｅｒｔ−ブチルエチルエステル、シクロヘキサン−１，３−ジカルボン酸イソブチルエチルエステル、シクロヘキサン−１，３−ジカルボン酸グリコールエチルエステル、シクロヘキサン−１，３−ジカルボン酸ｎ−ヘキシルエチルエステル、シクロヘキサン−１，３−ジカルボン酸イソヘキシルエチルエステル、シクロヘキサン−１，３−ジカルボン酸ｎ−ヘプチルエチルエステル、シクロヘキサン−１，３−ジカルボン酸イソヘプチルエチルエステル、シクロヘキサン−１，３−ジカルボン酸ｎ−オクチルエチルエステル、シクロヘキサン−１，３−ジカルボン酸イソオクチルエチルエステル、シクロヘキサン−１，３−ジカルボン酸２−エチルヘキシルエチルエステル、シクロヘキサン−１，３−ジカルボン酸ｎ−ノニルエチルエステル、シクロヘキサン−１，３−ジカルボン酸イソノニルエチルエステル、シクロヘキサン−１，３−ジカルボン酸２−プロピルヘプチルエチルエステル、シクロヘキサン−１，３−ジカルボン酸ｎ−デシルエチルエステル、シクロヘキサン−１，３−ジカルボン酸イソデシルエチルエステル、シクロヘキサン−１，３−ジカルボン酸ｎ−ウンデシルエチルエステル、シクロヘキサン−１，３−ジカルボン酸イソウンデシルエチルエステル、シクロヘキサン−１，３−ジカルボン酸ｎ−ドデシルエチルエステル、シクロヘキサン−１，３−ジカルボン酸イソドデシルエチルエステル、シクロヘキサン−１，３−ジカルボン酸ｎ−トリデシルエチルエステル、シクロヘキサン−１，３−ジカルボン酸イソトリデシルエチルエステル、
シクロヘキサン−１，３−ジカルボン酸イソプロピルｎ−プロピルエステル、シクロヘキサン−１，３−ジカルボン酸ｎ−ブチルｎ−プロピルエステル、シクロヘキサン−１，３−ジカルボン酸ｔｅｒｔ−ブチルｎ−プロピルエステル、シクロヘキサン−１，３−ジカルボン酸イソブチルｎ−プロピルエステル、シクロヘキサン−１，３−ジカルボン酸グリコールｎ−プロピルエステル、シクロヘキサン−１，３−ジカルボン酸ｎ−ヘキシルｎ−プロピルエステル、シクロヘキサン−１，３−ジカルボン酸イソヘキシルｎ−プロピルエステル、シクロヘキサン−１，３−ジカルボン酸ｎ−ヘプチルｎ−プロピルエステル、シクロヘキサン−１，３−ジカルボン酸イソヘプチルｎ−プロピルエステル、シクロヘキサン−１，３−ジカルボン酸ｎ−オクチルｎ−プロピルエステル、シクロヘキサン−１，３−ジカルボン酸イソオクチルｎ−プロピルエステル、シクロヘキサン−１，３−ジカルボン酸２−エチルヘキシルｎ−プロピルエステル、シクロヘキサン−１，３−ジカルボン酸ｎ−ノニルｎ−プロピルエステル、シクロヘキサン−１，３−ジカルボン酸イソノニルｎ−プロピルエステル、シクロヘキサン−１，３−ジカルボン酸２−プロピルヘプチルｎ−プロピルエステル、シクロヘキサン−１，３−ジカルボン酸ｎ−デシルｎ−プロピルエステル、シクロヘキサン−１，３−ジカルボン酸イソデシルｎ−プロピルエステル、シクロヘキサン−１，３−ジカルボン酸ｎ−ウンデシルｎ−プロピルエステル、シクロヘキサン−１，３−ジカルボン酸イソウンデシルｎ−プロピルエステル、シクロヘキサン−１，３−ジカルボン酸ｎ−ドデシルｎ−プロピルエステル、シクロヘキサン−１，３−ジカルボン酸イソドデシルｎ−プロピルエステル、シクロヘキサン−１，３−ジカルボン酸ｎ−トリデシルｎ−プロピルエステル、シクロヘキサン−１，３−ジカルボン酸イソトリデシルｎ−プロピルエステル、
【００４４】
シクロヘキサン−１，３−ジカルボン酸ｎ−ブチルイソプロピルエステル、シクロヘキサン−１，３−ジカルボン酸ｔｅｒｔ−ブチルイソプロピルエステル、シクロヘキサン−１，３−ジカルボン酸イソブチルイソプロピルエステル、シクロヘキサン−１，３−ジカルボン酸グリコールイソプロピルエステル、シクロヘキサン−１，３−ジカルボン酸ｎ−ヘキシルイソプロピルエステル、シクロヘキサン−１，３−ジカルボン酸イソヘキシルイソプロピルエステル、シクロヘキサン−１，３−ジカルボン酸ｎ−ヘプチルイソプロピルエステル、シクロヘキサン−１，３−ジカルボン酸イソヘプチルイソプロピルエステル、シクロヘキサン−１，３−ジカルボン酸ｎ−オクチルイソプロピルエステル、シクロヘキサン−１，３−ジカルボン酸イソオクチルイソプロピルエステル、シクロヘキサン−１，３−ジカルボン酸２−エチルヘキシルイソプロピルエステル、シクロヘキサン−１，３−ジカルボン酸ｎ−ノニルイソプロピルエステル、シクロヘキサン−１，３−ジカルボン酸イソノニルイソプロピルエステル、シクロヘキサン−１，３−ジカルボン酸２−プロピルヘプチルイソプロピルエステル、シクロヘキサン−１，３−ジカルボン酸ｎ−デシルイソプロピルエステル、シクロヘキサン−１，３−ジカルボン酸イソデシルイソプロピルエステル、シクロヘキサン−１，３−ジカルボン酸ｎ−ウンデシルイソプロピルエステル、シクロヘキサン−１，３−ジカルボン酸イソウンデシルイソプロピルエステル、シクロヘキサン−１，３−ジカルボン酸ｎ−ドデシルイソプロピルエステル、シクロヘキサン−１，３−ジカルボン酸イソドデシルイソプロピルエステル、シクロヘキサン−１，３−ジカルボン酸ｎ−トリデシルイソプロピルエステル、シクロヘキサン−１，３−ジカルボン酸イソトリデシルイソプロピルエステル、
シクロヘキサン−１，３−ジカルボン酸ｔｅｒｔ−ブチルｎ−ブチルエステル、シクロヘキサン−１，３−ジカルボン酸イソブチルｎ−ブチルエステル、シクロヘキサン−１，３−ジカルボン酸グリコールｎ−ブチルエステル、シクロヘキサン−１，３−ジカルボン酸ｎ−ヘキシルｎ−ブチルエステル、シクロヘキサン−１，３−ジカルボン酸イソヘキシルｎ−ブチルエステル、シクロヘキサン−１，３−ジカルボン酸ｎ−ヘプチルｎ−ブチルエステル、シクロヘキサン−１，３−ジカルボン酸イソヘプチルｎ−ブチルエステル、シクロヘキサン−１，３−ジカルボン酸ｎ−オクチルｎ−ブチルエステル、シクロヘキサン−１，３−ジカルボン酸イソオクチルｎ−ブチルエステル、シクロヘキサン−１，３−ジカルボン酸２−エチルヘキシルｎ−ブチルエステル、シクロヘキサン−１，３−ジカルボン酸ｎ−ノニルｎ−ブチルエステル、シクロヘキサン−１，３−ジカルボン酸イソノニルｎ−ブチルエステル、シクロヘキサン−１，３−ジカルボン酸２−プロピルヘプチルｎ−ブチルエステル、シクロヘキサン−１，３−ジカルボン酸ｎ−デシルｎ−ブチルエステル、シクロヘキサン−１，３−ジカルボン酸イソデシルｎ−ブチルエステル、シクロヘキサン−１，３−ジカルボン酸ｎ−ウンデシルｎ−ブチルエステル、シクロヘキサン−１，３−ジカルボン酸イソウンデシルｎ−ブチルエステル、シクロヘキサン−１，３−ジカルボン酸ｎ−ドデシルｎ−ブチルエステル、シクロヘキサン−１，３−ジカルボン酸イソドデシルｎ−ブチルエステル、シクロヘキサン−１，３−ジカルボン酸ｎ−トリデシルｎ−ブチルエステル、シクロヘキサン−１，３−ジカルボン酸イソトリデシルｎ−ブチルエステル、
シクロヘキサン−１，３−ジカルボン酸イソブチルｔｅｒｔ−ブチルエステル、シクロヘキサン−１，３−ジカルボン酸グリコールｔｅｒｔ−ブチルエステル、シクロヘキサン−１，３−ジカルボン酸ｎ−ヘキシルｔｅｒｔ−ブチルエステル、シクロヘキサン−１，３−ジカルボン酸イソヘキシルｔｅｒｔ−ブチルエステル、シクロヘキサン−１，３−ジカルボン酸ｎ−ヘプチルｔｅｒｔ−ブチルエステル、シクロヘキサン−１，３−ジカルボン酸イソヘプチルｔｅｒｔ−ブチルエステル、シクロヘキサン−１，３−ジカルボン酸ｎ−オクチルｔｅｒｔ−ブチルエステル、シクロヘキサン−１，３−ジカルボン酸イソオクチルｔｅｒｔ−ブチルエステル、シクロヘキサン−１，３−ジカルボン酸２−エチルヘキシルｔｅｒｔ−ブチルエステル、シクロヘキサン−１，３−ジカルボン酸ｎ−ノニルｔｅｒｔ−ブチルエステル、シクロヘキサン−１，３−ジカルボン酸イソノニルｔｅｒｔ−ブチルエステル、シクロヘキサン−１，３−ジカルボン酸２−プロピルヘプチルｔｅｒｔ−ブチルエステル、シクロヘキサン−１，３−ジカルボン酸ｎ−デシルｔｅｒｔ−ブチルエステル、シクロヘキサン−１，３−ジカルボン酸イソデシルｔｅｒｔ−ブチルエステル、シクロヘキサン−１，３−ジカルボン酸ｎ−ウンデシルｔｅｒｔ−ブチルエステル、シクロヘキサン−１，３−ジカルボン酸イソウンデシルｔｅｒｔ−ブチルエステル、シクロヘキサン−１，３−ジカルボン酸ｎ−ドデシルｔｅｒｔ−ブチルエステル、シクロヘキサン−１，３−ジカルボン酸イソドデシルｔｅｒｔ−ブチルエステル、シクロヘキサン−１，３−ジカルボン酸ｎ−トリデシルｔｅｒｔ−ブチルエステル、シクロヘキサン−１，３−ジカルボン酸イソトリデシルｔｅｒｔ−ブチルエステル、
【００４５】
シクロヘキサン−１，３−ジカルボン酸グリコールイソブチルエステル、シクロヘキサン−１，３−ジカルボン酸ｎ−ヘキシルイソブチルエステル、シクロヘキサン−１，３−ジカルボン酸イソヘキシルイソブチルエステル、シクロヘキサン−１，３−ジカルボン酸ｎ−ヘプチルイソブチルエステル、シクロヘキサン−１，３−ジカルボン酸イソヘプチルイソブチルエステル、シクロヘキサン−１，３−ジカルボン酸ｎ−オクチルイソブチルエステル、シクロヘキサン−１，３−ジカルボン酸イソオクチルイソブチルエステル、シクロヘキサン−１，３−ジカルボン酸２−エチルヘキシルイソブチルエステル、シクロヘキサン−１，３−ジカルボン酸ｎ−ノニルイソブチルエステル、シクロヘキサン−１，３−ジカルボン酸イソノニルイソブチルエステル、シクロヘキサン−１，３−ジカルボン酸２−プロピルヘプチルイソブチルエステル、シクロヘキサン−１，３−ジカルボン酸ｎ−デシルイソブチルエステル、シクロヘキサン−１，３−ジカルボン酸イソデシルイソブチルエステル、シクロヘキサン−１，３−ジカルボン酸ｎ−ウンデシルイソブチルエステル、シクロヘキサン−１，３−ジカルボン酸イソウンデシルイソブチルエステル、シクロヘキサン−１，３−ジカルボン酸ｎ−ドデシルイソブチルエステル、シクロヘキサン−１，３−ジカルボン酸イソドデシルイソブチルエステル、シクロヘキサン−１，３−ジカルボン酸ｎ−トリデシルイソブチルエステル、シクロヘキサン−１，３−ジカルボン酸イソトリデシルイソブチルエステル、
シクロヘキサン−１，３−ジカルボン酸ｎ−ヘキシルグリコールエステル、シクロヘキサン−１，３−ジカルボン酸イソヘキシルグリコールエステル、シクロヘキサン−１，３−ジカルボン酸ｎ−ヘプチルグリコールエステル、シクロヘキサン−１，３−ジカルボン酸イソヘプチルグリコールエステル、シクロヘキサン−１，３−ジカルボン酸ｎ−オクチルグリコールエステル、シクロヘキサン−１，３−ジカルボン酸イソオクチルグリコールエステル、シクロヘキサン−１，３−ジカルボン酸２−エチルヘキシルグリコールエステル、シクロヘキサン−１，３−ジカルボン酸ｎ−ノニルグリコールエステル、シクロヘキサン−１，３−ジカルボン酸イソノニルグリコールエステル、シクロヘキサン−１，３−ジカルボン酸２−プロピルヘプチルグリコールエステル、シクロヘキサン−１，３−ジカルボン酸ｎ−デシルグリコールエステル、シクロヘキサン−１，３−ジカルボン酸イソデシルグリコールエステル、シクロヘキサン−１，３−ジカルボン酸ｎ−ウンデシルグリコールエステル、シクロヘキサン−１，３−ジカルボン酸イソウンデシルグリコールエステル、シクロヘキサン−１，３−ジカルボン酸ｎ−ドデシルグリコールエステル、シクロヘキサン−１，３−ジカルボン酸イソドデシルグリコールエステル、シクロヘキサン−１，３−ジカルボン酸ｎ−トリデシルグリコールエステル、シクロヘキサン−１，３−ジカルボン酸イソトリデシルグリコールエステル、
シクロヘキサン−１，３−ジカルボン酸イソヘキシルｎ−ヘキシルエステル、シクロヘキサン−１，３−ジカルボン酸ｎ−ヘプチルｎ−ヘキシルエステル、シクロヘキサン−１，３−ジカルボン酸イソヘプチルｎ−ヘキシルエステル、シクロヘキサン−１，３−ジカルボン酸ｎ−オクチルｎ−ヘキシルエステル、シクロヘキサン−１，３−ジカルボン酸イソオクチルｎ−ヘキシルエステル、シクロヘキサン−１，３−ジカルボン酸２−エチルヘキシルｎ−ヘキシルエステル、シクロヘキサン−１，３−ジカルボン酸ｎ−ノニルｎ−ヘキシルエステル、シクロヘキサン−１，３−ジカルボン酸イソノニルｎ−ヘキシルエステル、シクロヘキサン−１，３−ジカルボン酸２−プロピルヘプチルｎ−ヘキシルエステル、シクロヘキサン−１，３−ジカルボン酸ｎ−デシルｎ−ヘキシルエステル、シクロヘキサン−１，３−ジカルボン酸イソデシルｎ−ヘキシルエステル、シクロヘキサン−１，３−ジカルボン酸ｎ−ウンデシルｎ−ヘキシルエステル、シクロヘキサン−１，３−ジカルボン酸イソウンデシルｎ−ヘキシルエステル、シクロヘキサン−１，３−ジカルボン酸ｎ−ドデシルｎ−ヘキシルエステル、シクロヘキサン−１，３−ジカルボン酸イソドデシルｎ−ヘキシルエステル、シクロヘキサン−１，３−ジカルボン酸ｎ−トリデシルｎ−ヘキシルエステル、シクロヘキサン−１，３−ジカルボン酸イソトリデシルｎ−ヘキシルエステル、
【００４６】
シクロヘキサン−１，３−ジカルボン酸ｎ−ヘプチルイソヘキシルエステル、シクロヘキサン−１，３−ジカルボン酸イソヘプチルイソヘキシルエステル、シクロヘキサン−１，３−ジカルボン酸ｎ−オクチルイソヘキシルエステル、シクロヘキサン−１，３−ジカルボン酸イソオクチルイソヘキシルエステル、シクロヘキサン−１，３−ジカルボン酸２−エチルヘキシルイソヘキシルエステル、シクロヘキサン−１，３−ジカルボン酸ｎ−ノニルイソヘキシルエステル、シクロヘキサン−１，３−ジカルボン酸イソノニルイソヘキシルエステル、シクロヘキサン−１，３−ジカルボン酸２−プロピルヘプチルイソヘキシルエステル、シクロヘキサン−１，３−ジカルボン酸ｎ−デシルイソヘキシルエステル、シクロヘキサン−１，３−ジカルボン酸イソデシルイソヘキシルエステル、シクロヘキサン−１，３−ジカルボン酸ｎ−ウンデシルイソヘキシルエステル、シクロヘキサン−１，３−ジカルボン酸イソウンデシルイソヘキシルエステル、シクロヘキサン−１，３−ジカルボン酸ｎ−ドデシルイソヘキシルエステル、シクロヘキサン−１，３−ジカルボン酸イソドデシルイソヘキシルエステル、シクロヘキサン−１，３−ジカルボン酸ｎ−トリデシルイソヘキシルエステル、シクロヘキサン−１，３−ジカルボン酸イソトリデシルイソヘキシルエステル、
シクロヘキサン−１，３−ジカルボン酸イソヘプチルｎ−ヘプチルエステル、シクロヘキサン−１，３−ジカルボン酸ｎ−オクチルｎ−ヘプチルエステル、シクロヘキサン−１，３−ジカルボン酸イソオクチルｎ−ヘプチルエステル、シクロヘキサン−１，３−ジカルボン酸２−エチルヘキシルｎ−ヘプチルエステル、シクロヘキサン−１，３−ジカルボン酸ｎ−ノニルｎ−ヘプチルエステル、シクロヘキサン−１，３−ジカルボン酸イソノニルｎ−ヘプチルエステル、シクロヘキサン−１，３−ジカルボン酸２−プロピルヘプチルｎ−ヘプチルエステル、シクロヘキサン−１，３−ジカルボン酸ｎ−デシルｎ−ヘプチルエステル、シクロヘキサン−１，３−ジカルボン酸イソデシルｎ−ヘプチルエステル、シクロヘキサン−１，３−ジカルボン酸ｎ−ウンデシルｎ−ヘプチルエステル、シクロヘキサン−１，３−ジカルボン酸イソウンデシルｎ−ヘプチルエステル、シクロヘキサン−１，３−ジカルボン酸ｎ−ドデシルｎ−ヘプチルエステル、シクロヘキサン−１，３−ジカルボン酸イソドデシルｎ−ヘプチルエステル、シクロヘキサン−１，３−ジカルボン酸ｎ−トリデシルｎ−ヘプチルエステル、シクロヘキサン−１，３−ジカルボン酸イソトリデシルｎ−ヘプチルエステル、
シクロヘキサン−１，３−ジカルボン酸ｎ−オクチルイソヘプチルエステル、シクロヘキサン−１，３−ジカルボン酸イソオクチルイソヘプチルエステル、シクロヘキサン−１，３−ジカルボン酸２−エチルヘキシルイソヘプチルエステル、シクロヘキサン−１，３−ジカルボン酸ｎ−ノニルイソヘプチルエステル、シクロヘキサン−１，３−ジカルボン酸イソノニルイソヘプチルエステル、シクロヘキサン−１，３−ジカルボン酸２−プロピルヘプチルイソヘプチルエステル、シクロヘキサン−１，３−ジカルボン酸ｎ−デシルイソヘプチルエステル、シクロヘキサン−１，３−ジカルボン酸イソデシルイソヘプチルエステル、シクロヘキサン−１，３−ジカルボン酸ｎ−ウンデシルイソヘプチルエステル、シクロヘキサン−１，３−ジカルボン酸イソウンデシルイソヘプチルエステル、シクロヘキサン−１，３−ジカルボン酸ｎ−ドデシルイソヘプチルエステル、シクロヘキサン−１，３−ジカルボン酸イソドデシルイソヘプチルエステル、シクロヘキサン−１，３−ジカルボン酸ｎ−トリデシルイソヘプチルエステル、シクロヘキサン−１，３−ジカルボン酸イソトリデシルイソヘプチルエステル、
【００４７】
シクロヘキサン−１，３−ジカルボン酸イソオクチルｎ−オクチルエステル、シクロヘキサン−１，３−ジカルボン酸２−エチルヘキシルｎ−オクチルエステル、シクロヘキサン−１，３−ジカルボン酸ｎ−ノニルｎ−オクチルエステル、シクロヘキサン−１，３−ジカルボン酸イソノニルｎ−オクチルエステル、シクロヘキサン−１，３−ジカルボン酸２−プロピルヘプチルｎ−オクチルエステル、シクロヘキサン−１，３−ジカルボン酸ｎ−デシルｎ−オクチルエステル、シクロヘキサン−１，３−ジカルボン酸イソデシルｎ−オクチルエステル、シクロヘキサン−１，３−ジカルボン酸ｎ−ウンデシルｎ−オクチルエステル、シクロヘキサン−１，３−ジカルボン酸イソウンデシルｎ−オクチルエステル、シクロヘキサン−１，３−ジカルボン酸ｎ−ドデシルｎ−オクチルエステル、シクロヘキサン−１，３−ジカルボン酸イソドデシルｎ−オクチルエステル、シクロヘキサン−１，３−ジカルボン酸ｎ−トリデシルｎ−オクチルエステル、シクロヘキサン−１，３−ジカルボン酸イソトリデシルｎ−オクチルエステル、
シクロヘキサン−１，３−ジカルボン酸２−エチルヘキシルイソオクチルエステル、シクロヘキサン−１，３−ジカルボン酸ｎ−ノニルイソオクチルエステル、シクロヘキサン−１，３−ジカルボン酸イソノニルイソオクチルエステル、シクロヘキサン−１，３−ジカルボン酸２−プロピルヘプチルイソオクチルエステル、シクロヘキサン−１，３−ジカルボン酸ｎ−デシルイソオクチルエステル、シクロヘキサン−１，３−ジカルボン酸イソデシルイソオクチルエステル、シクロヘキサン−１，３−ジカルボン酸ｎ−ウンデシルイソオクチルエステル、シクロヘキサン−１，３−ジカルボン酸イソウンデシルイソオクチルエステル、シクロヘキサン−１，３−ジカルボン酸ｎ−ドデシルイソオクチルエステル、シクロヘキサン−１，３−ジカルボン酸イソドデシルイソオクチルエステル、シクロヘキサン−１，３−ジカルボン酸ｎ−トリデシルイソオクチルエステル、シクロヘキサン−１，３−ジカルボン酸イソトリデシルイソオクチルエステル、
シクロヘキサン−１，３−ジカルボン酸ｎ−ノニル２−エチルヘキシルエステル、シクロヘキサン−１，３−ジカルボン酸イソノニル２−エチルヘキシルエステル、シクロヘキサン−１，３−ジカルボン酸２−プロピルヘプチル２−エチルヘキシルエステル、シクロヘキサン−１，３−ジカルボン酸ｎ−デシル２−エチルヘキシルエステル、シクロヘキサン−１，３−ジカルボン酸イソデシル２−エチルヘキシルエステル、シクロヘキサン−１，３−ジカルボン酸ｎ−ウンデシル２−エチルヘキシルエステル、シクロヘキサン−１，３−ジカルボン酸イソウンデシル２−エチルヘキシルエステル、シクロヘキサン−１，３−ジカルボン酸ｎ−ドデシル２−エチルヘキシルエステル、シクロヘキサン−１，３−ジカルボン酸イソドデシル２−エチルヘキシルエステル、シクロヘキサン−１，３−ジカルボン酸ｎ−トリデシル２−エチルヘキシルエステル、シクロヘキサン−１，３−ジカルボン酸イソトリデシル２−エチルヘキシルエステル、
シクロヘキサン−１，３−ジカルボン酸イソノニルｎ−ノニルエステル、シクロヘキサン−１，３−ジカルボン酸２−プロピルヘプチルｎ−ノニルエステル、シクロヘキサン−１，３−ジカルボン酸ｎ−デシルｎ−ノニルエステル、シクロヘキサン−１，３−ジカルボン酸イソデシルｎ−ノニルエステル、シクロヘキサン−１，３−ジカルボン酸ｎ−ウンデシルｎ−ノニルエステル、シクロヘキサン−１，３−ジカルボン酸イソウンデシルｎ−ノニルエステル、シクロヘキサン−１，３−ジカルボン酸ｎ−ドデシルｎ−ノニルエステル、シクロヘキサン−１，３−ジカルボン酸イソドデシルｎ−ノニルエステル、シクロヘキサン−１，３−ジカルボン酸ｎ−トリデシルｎ−ノニルエステル、シクロヘキサン−１，３−ジカルボン酸イソトリデシルｎ−ノニルエステル、
シクロヘキサン−１，３−ジカルボン酸２−プロピルヘプチルイソノニルエステル、シクロヘキサン−１，３−ジカルボン酸ｎ−デシルイソノニルエステル、シクロヘキサン−１，３−ジカルボン酸イソデシルイソノニルエステル、シクロヘキサン−１，３−ジカルボン酸ｎ−ウンデシルイソノニルエステル、シクロヘキサン−１，３−ジカルボン酸イソウンデシルイソノニルエステル、シクロヘキサン−１，３−ジカルボン酸ｎ−ドデシルイソノニルエステル、シクロヘキサン−１，３−ジカルボン酸イソドデシルイソノニルエステル、シクロヘキサン−１，３−ジカルボン酸ｎ−トリデシルイソノニルエステル、シクロヘキサン−１，３−ジカルボン酸イソトリデシルイソノニルエステル、
【００４８】
シクロヘキサン−１，３−ジカルボン酸ｎ−デシル２−プロピルヘプチルエステル、シクロヘキサン−１，３−ジカルボン酸イソデシル２−プロピルヘプチルエステル、シクロヘキサン−１，３−ジカルボン酸ｎ−ウンデシル２−プロピルヘプチルエステル、シクロヘキサン−１，３−ジカルボン酸イソウンデシル２−プロピルヘプチルエステル、シクロヘキサン−１，３−ジカルボン酸ｎ−ドデシル２−プロピルヘプチルエステル、シクロヘキサン−１，３−ジカルボン酸イソドデシル２−プロピルヘプチルエステル、シクロヘキサン−１，３−ジカルボン酸ｎ−トリデシル２−プロピルヘプチルエステル、シクロヘキサン−１，３−ジカルボン酸イソトリデシル２−プロピルヘプチルエステル、
シクロヘキサン−１，３−ジカルボン酸イソデシルｎ−デシルエステル、シクロヘキサン−１，３−ジカルボン酸ｎ−ウンデシルｎ−デシルエステル、シクロヘキサン−１，３−ジカルボン酸イソウンデシルｎ−デシルエステル、シクロヘキサン−１，３−ジカルボン酸ｎ−ドデシルｎ−デシルエステル、シクロヘキサン−１，３−ジカルボン酸イソドデシルｎ−デシルエステル、シクロヘキサン−１，３−ジカルボン酸ｎ−トリデシルｎ−デシルエステル、シクロヘキサン−１，３−ジカルボン酸イソトリデシルｎ−デシルエステル、
シクロヘキサン−１，３−ジカルボン酸ｎ−ウンデシルイソデシルエステル、シクロヘキサン−１，３−ジカルボン酸イソウンデシルイソデシルエステル、シクロヘキサン−１，３−ジカルボン酸ｎ−ドデシルイソデシルエステル、シクロヘキサン−１，３−ジカルボン酸イソドデシルイソデシルエステル、シクロヘキサン−１，３−ジカルボン酸ｎ−トリデシルイソデシルエステル、シクロヘキサン−１，３−ジカルボン酸イソトリデシルイソデシルエステル、
シクロヘキサン−１，３−ジカルボン酸イソウンデシルｎ−ウンデシルエステル、シクロヘキサン−１，３−ジカルボン酸ｎ−ドデシルｎ−ウンデシルエステル、シクロヘキサン−１，３−ジカルボン酸イソドデシルｎ−ウンデシルエステル、シクロヘキサン−１，３−ジカルボン酸ｎ−トリデシルｎ−ウンデシルエステル、シクロヘキサン−１，３−ジカルボン酸イソトリデシルｎ−ウンデシルエステル、
シクロヘキサン−１，３−ジカルボン酸ｎ−ドデシルイソウンデシルエステル、シクロヘキサン−１，３−ジカルボン酸イソドデシルイソウンデシルエステル、シクロヘキサン−１，３−ジカルボン酸ｎ−トリデシルイソウンデシルエステル、シクロヘキサン−１，３−ジカルボン酸イソトリデシルイソウンデシルエステル、
シクロヘキサン−１，３−ジカルボン酸イソドデシルｎ−ドデシルエステル、シクロヘキサン−１，３−ジカルボン酸ｎ−トリデシルｎ−ドデシルエステル、シクロヘキサン−１，３−ジカルボン酸イソトリデシルｎ−ドデシルエステル、
シクロヘキサン−１，３−ジカルボン酸ｎ−トリデシルイソドデシルエステル、シクロヘキサン−１，３−ジカルボン酸イソトリデシルイソドデシルエステル、
シクロヘキサン−１，３−ジカルボン酸イソトリデシルｎ−トリデシルエステル、
シクロヘキサン−１，３−ジカルボン酸メチルシクロヘキシルエステル、シクロヘキサン−１，３−ジカルボン酸エチルシクロヘキシルエステル、シクロヘキサン−１，３−ジカルボン酸ｎ−プロピルシクロヘキシルエステル、シクロヘキサン−１，３−ジカルボン酸イソプロピルシクロヘキシルエステル、シクロヘキサン−１，３−ジカルボン酸ｎ−ブチルシクロヘキシルエステル、シクロヘキサン−１，３−ジカルボン酸ｔｅｒｔ−ブチルシクロヘキシルエステル、シクロヘキサン−１，３−ジカルボン酸イソブチルシクロヘキシルエステル、シクロヘキサン−１，３−ジカルボン酸グリコールシクロヘキシルシルエステル、シクロヘキサン−１，３−ジカルボン酸ｎ−ヘキシルシクロヘキシルエステル、シクロヘキサン−１，３−ジカルボン酸イソヘキシルシクロヘキシルエステル、シクロヘキサン−１，３−ジカルボン酸ｎ−ヘプチルシクロヘキシルエステル、シクロヘキサン−１，３−ジカルボン酸イソヘプチルシクロヘキシルエステル、シクロヘキサン−１，３−ジカルボン酸ｎ−オクチルイソヘキシルエステル、シクロヘキサン−１，３−ジカルボン酸イソオクチルシクロヘキシルエステル、シクロヘキサン−１，３−ジカルボン酸２−エチルヘキシルシクロヘキシルエステル、シクロヘキサン−１，３−ジカルボン酸ｎ−ノニルシクロヘキシルエステル、シクロヘキサン−１，３−ジカルボン酸イソノニルシクロヘキシルエステル、シクロヘキサン−１，３−ジカルボン酸２−プロピルヘプチルシクロヘキシルエステル、シクロヘキサン−１，３−ジカルボン酸ｎ−デシルシクロヘキシルエステル、シクロヘキサン−１，３−ジカルボン酸イソデシルシクロヘキシルエステル、シクロヘキサン−１，３−ジカルボン酸ｎ−ウンデシルシクロヘキシルエステル、シクロヘキサン−１，３−ジカルボン酸イソウンデシルシクロヘキシルエステル、シクロヘキサン−１，３−ジカルボン酸ｎ−ドデシルシクロヘキシルエステル、シクロヘキサン−１，３−ジカルボン酸イソドデシルシクロヘキシルエステル、シクロヘキサン−１，３−ジカルボン酸ｎ−トリデシルシクロヘキシルエステル、シクロヘキサン−１，３−ジカルボン酸イソトリデシルシクロヘキシルエステル、
【００４９】
シクロヘキサン−１，３−ジカルボン酸メチルイソペンチルエステル、シクロヘキサン−１，３−ジカルボン酸エチルイソペンチルエステル、シクロヘキサン−１，３−ジカルボン酸ｎ−プロピルイソペンチルエステル、シクロヘキサン−１，３−ジカルボン酸イソプロピルイソペンチルエステル、シクロヘキサン−１，３−ジカルボン酸ｎ−ブチルイソペンチルエステル、シクロヘキサン−１，３−ジカルボン酸ｔｅｒｔ−ブチルイソペンチルエステル、シクロヘキサン−１，３−ジカルボン酸イソブチルイソペンチルエステル、シクロヘキサン−１，３−ジカルボン酸グリコールイソペンチルエステル、シクロヘキサン−１，３−ジカルボン酸ｎ−ヘキシルイソペンチルエステル、シクロヘキサン−１，３−ジカルボン酸イソヘキシルイソペンチルエステル、シクロヘキサン−１，３−ジカルボン酸ｎ−ヘプチルイソペンチルエステル、シクロヘキサン−１，３−ジカルボン酸イソヘプチルイソペンチルエステル、シクロヘキサン−１，３−ジカルボン酸ｎ−オクチルイソペンチルエステル、シクロヘキサン−１，３−ジカルボン酸イソオクチルイソペンチルエステル、シクロヘキサン−１，３−ジカルボン酸２−エチルヘキシルイソペンチルエステル、シクロヘキサン−１，３−ジカルボン酸ｎ−ノニルイソペンチルエステル、シクロヘキサン−１，３−ジカルボン酸イソノニルイソペンチルエステル、シクロヘキサン−１，３−ジカルボン酸２−プロピルヘプチルイソペンチルエステル、シクロヘキサン−１，３−ジカルボン酸ｎ−デシルイソペンチルエステル、シクロヘキサン−１，３−ジカルボン酸イソデシルイソペンチルエステル、シクロヘキサン−１，３−ジカルボン酸ｎ−ウンデシルイソペンチルエステル、シクロヘキサン−１，３−ジカルボン酸イソウンデシルイソペンチルエステル、シクロヘキサン−１，３−ジカルボン酸ｎ−ドデシルイソペンチルエステル、シクロヘキサン−１，３−ジカルボン酸イソドデシルイソペンチルエステル、シクロヘキサン−１，３−ジカルボン酸ｎ−トリデシルイソペンチルエステル、シクロヘキサン−１，３−ジカルボン酸イソトリデシルイソペンチルエステル、
シクロヘキサン−１，３−ジカルボン酸メチルｎ−ペンチルエステル、シクロヘキサン−１，３−ジカルボン酸エチルｎ−ペンチルエステル、シクロヘキサン−１，３−ジカルボン酸ｎ−プロピルｎ−ペンチルエステル、シクロヘキサン−１，３−ジカルボン酸イソプロピルｎ−ペンチルエステル、シクロヘキサン−１，３−ジカルボン酸ｎ−ブチルｎ−ペンチルエステル、シクロヘキサン−１，３−ジカルボン酸ｔｅｒｔ−ブチルｎ−ペンチルエステル、シクロヘキサン−１，３−ジカルボン酸イソブチルｎ−ペンチルエステル、シクロヘキサン−１，３−ジカルボン酸グリコールｎ−ペンチルエステル、シクロヘキサン−１，３−ジカルボン酸ｎ−ヘキシルｎ−ペンチルエステル、シクロヘキサン−１，３−ジカルボン酸イソヘキシルｎ−ペンチルエステル、シクロヘキサン−１，３−ジカルボン酸ｎ−ヘプチルｎ−ペンチルエステル、シクロヘキサン−１，３−ジカルボン酸イソヘプチルｎ−ペンチルエステル、シクロヘキサン−１，３−ジカルボン酸ｎ−オクチルｎ−ペンチルエステル、シクロヘキサン−１，３−ジカルボン酸イソオクチルｎ−ペンチルエステル、シクロヘキサン−１，３−ジカルボン酸２−エチルヘキシルｎ−ペンチルエステル、シクロヘキサン−１，３−ジカルボン酸ｎ−ノニルｎ−ペンチルエステル、シクロヘキサン−１，３−ジカルボン酸イソノニルｎ−ペンチルエステル、シクロヘキサン−１，３−ジカルボン酸２−プロピルヘプチルｎ−ペンチルエステル、シクロヘキサン−１，３−ジカルボン酸ｎ−デシルｎ−ペンチルエステル、シクロヘキサン−１，３−ジカルボン酸イソデシルｎ−ペンチルエステル、シクロヘキサン−１，３−ジカルボン酸ｎ−ウンデシルｎ−ペンチルエステル、シクロヘキサン−１，３−ジカルボン酸イソウンデシルｎ−ペンチルエステル、シクロヘキサン−１，３−ジカルボン酸ｎ−ドデシルｎ−ペンチルエステル、シクロヘキサン−１，３−ジカルボン酸イソドデシルｎ−ペンチルエステル、シクロヘキサン−１，３−ジカルボン酸ｎ−トリデシルｎ−ペンチルエステル、シクロヘキサン−１，３−ジカルボン酸イソトリデシルｎ−ペンチルエステル、
【００５０】
シクロヘキサン−１，４−ジカルボン酸とＣ1−Ｃ13アルコールとの混合エステル、例えばシクロヘキサン−１，４−ジカルボン酸エチルメチルエステル、シクロヘキサン−１，４−ジカルボン酸ｎ−プロピルメチルエステル、シクロヘキサン−１，４−ジカルボン酸イソプロピルメチルエステル、シクロヘキサン−１，４−ジカルボン酸ｎ−ブチルメチルエステル、シクロヘキサン−１，４−ジカルボン酸ｔｅｒｔ−ブチルメチルエステル、シクロヘキサン−１，４−ジカルボン酸イソブチルメチルエステル、シクロヘキサン−１，４−ジカルボン酸グリコールメチルエステル、シクロヘキサン−１，４−ジカルボン酸ｎ−ヘキシルメチルエステル、シクロヘキサン−１，４−ジカルボン酸イソヘキシルメチルエステル、シクロヘキサン−１，４−ジカルボン酸ｎ−ヘプチルメチルエステル、シクロヘキサン−１，４−ジカルボン酸イソヘプチルメチルエステル、シクロヘキサン−１，４−ジカルボン酸ｎ−オクチルメチルエステル、シクロヘキサン−１，４−ジカルボン酸イソオクチルメチルエステル、シクロヘキサン−１，４−ジカルボン酸２−エチルヘキシルメチルエステル、シクロヘキサン−１，４−ジカルボン酸ｎ−ノニルメチルエステル、シクロヘキサン−１，４−ジカルボン酸イソノニルメチルエステル、シクロヘキサン−１，４−ジカルボン酸２−プロピルヘプチルメチルエステル、シクロヘキサン−１，４−ジカルボン酸ｎ−デシルメチルエステル、シクロヘキサン−１，４−ジカルボン酸イソデシルメチルエステル、シクロヘキサン−１，４−ジカルボン酸ｎ−ウンデシルメチルエステル、シクロヘキサン−１，４−ジカルボン酸イソウンデシルメチルエステル、シクロヘキサン−１，４−ジカルボン酸ｎ−ドデシルメチルエステル、シクロヘキサン−１，４−ジカルボン酸イソドデシルメチルエステル、シクロヘキサン−１，４−ジカルボン酸ｎ−トリデシルメチルエステル、シクロヘキサン−１，４−ジカルボン酸イソトリデシルメチルエステル、
シクロヘキサン−１，４−ジカルボン酸ｎ−プロピルエチルエステル、シクロヘキサン−１，４−ジカルボン酸イソプロピルエチルエステル、シクロヘキサン−１，４−ジカルボン酸ｎ−ブチルエチルエステル、シクロヘキサン−１，４−ジカルボン酸ｔｅｒｔ−ブチルエチルエステル、シクロヘキサン−１，４−ジカルボン酸イソブチルエチルエステル、シクロヘキサン−１，４−ジカルボン酸グリコールエチルエステル、シクロヘキサン−１，４−ジカルボン酸ｎ−ヘキシルエチルエステル、シクロヘキサン−１，４−ジカルボン酸イソヘキシルエチルエステル、シクロヘキサン−１，４−ジカルボン酸ｎ−ヘプチルエチルエステル、シクロヘキサン−１，４−ジカルボン酸イソヘプチルエチルエステル、シクロヘキサン−１，４−ジカルボン酸ｎ−オクチルエチルエステル、シクロヘキサン−１，４−ジカルボン酸イソオクチルエチルエステル、シクロヘキサン−１，４−ジカルボン酸２−エチルヘキシルエチルエステル、シクロヘキサン−１，４−ジカルボン酸ｎ−ノニルエチルエステル、シクロヘキサン−１，４−ジカルボン酸イソノニルエチルエステル、シクロヘキサン−１，４−ジカルボン酸２−プロピルヘプチルエチルエステル、シクロヘキサン−１，４−ジカルボン酸ｎ−デシルエチルエステル、シクロヘキサン−１，４−ジカルボン酸イソデシルエチルエステル、シクロヘキサン−１，４−ジカルボン酸ｎ−ウンデシルエチルエステル、シクロヘキサン−１，４−ジカルボン酸イソウンデシルエチルエステル、シクロヘキサン−１，４−ジカルボン酸ｎ−ドデシルエチルエステル、シクロヘキサン−１，４−ジカルボン酸イソドデシルエチルエステル、シクロヘキサン−１，４−ジカルボン酸ｎ−トリデシルエチルエステル、シクロヘキサン−１，４−ジカルボン酸イソトリデシルエチルエステル、
【００５１】
シクロヘキサン−１，４−ジカルボン酸イソプロピルｎ−プロピルエステル、シクロヘキサン−１，４−ジカルボン酸ｎ−ブチルｎ−プロピルエステル、シクロヘキサン−１，４−ジカルボン酸ｔｅｒｔ−ブチルｎ−プロピルエステル、シクロヘキサン−１，４−ジカルボン酸イソブチルｎ−プロピルエステル、シクロヘキサン−１，４−ジカルボン酸グリコールｎ−プロピルエステル、シクロヘキサン−１，４−ジカルボン酸ｎ−ヘキシルｎ−プロピルエステル、シクロヘキサン−１，４−ジカルボン酸イソヘキシルｎ−プロピルエステル、シクロヘキサン−１，４−ジカルボン酸ｎ−ヘプチルｎ−プロピルエステル、シクロヘキサン−１，４−ジカルボン酸イソヘプチルｎ−プロピルエステル、シクロヘキサン−１，４−ジカルボン酸ｎ−オクチルｎ−プロピルエステル、シクロヘキサン−１，４−ジカルボン酸イソオクチルｎ−プロピルエステル、シクロヘキサン−１，４−ジカルボン酸２−エチルヘキシルｎ−プロピルエステル、シクロヘキサン−１，４−ジカルボン酸ｎ−ノニルｎ−プロピルエステル、シクロヘキサン−１，４−ジカルボン酸イソノニルｎ−プロピルエステル、シクロヘキサン−１，４−ジカルボン酸２−プロピルヘプチルｎ−プロピルエステル、シクロヘキサン−１，４−ジカルボン酸ｎ−デシルｎ−プロピルエステル、シクロヘキサン−１，４−ジカルボン酸イソデシルｎ−プロピルエステル、シクロヘキサン−１，４−ジカルボン酸ｎ−ウンデシルｎ−プロピルエステル、シクロヘキサン−１，４−ジカルボン酸イソウンデシルｎ−プロピルエステル、シクロヘキサン−１，４−ジカルボン酸ｎ−ドデシルｎ−プロピルエステル、シクロヘキサン−１，４−ジカルボン酸イソドデシルｎ−プロピルエステル、シクロヘキサン−１，４−ジカルボン酸ｎ−トリデシルｎ−プロピルエステル、シクロヘキサン−１，４−ジカルボン酸イソトリデシルｎ−プロピルエステル、
シクロヘキサン−１，４−ジカルボン酸ｎ−ブチルイソプロピルエステル、シクロヘキサン−１，４−ジカルボン酸ｔｅｒｔ−ブチルイソプロピルエステル、シクロヘキサン−１，４−ジカルボン酸イソブチルイソプロピルエステル、シクロヘキサン−１，４−ジカルボン酸グリコールイソプロピルエステル、シクロヘキサン−１，４−ジカルボン酸ｎ−ヘキシルイソプロピルエステル、シクロヘキサン−１，４−ジカルボン酸イソヘキシルイソプロピルエステル、シクロヘキサン−１，４−ジカルボン酸ｎ−ヘプチルイソプロピルエステル、シクロヘキサン−１，４−ジカルボン酸イソヘプチルイソプロピルエステル、シクロヘキサン−１，４−ジカルボン酸ｎ−オクチルイソプロピルエステル、シクロヘキサン−１，４−ジカルボン酸イソオクチルイソプロピルエステル、シクロヘキサン−１，４−ジカルボン酸２−エチルヘキシルイソプロピルエステル、シクロヘキサン−１，４−ジカルボン酸ｎ−ノニルイソプロピルエステル、シクロヘキサン−１，４−ジカルボン酸イソノニルイソプロピルエステル、シクロヘキサン−１，４−ジカルボン酸２−プロピルヘプチルイソプロピルエステル、シクロヘキサン−１，４−ジカルボン酸ｎ−デシルイソプロピルエステル、シクロヘキサン−１，４−ジカルボン酸イソデシルイソプロピルエステル、シクロヘキサン−１，４−ジカルボン酸ｎ−ウンデシルイソプロピルエステル、シクロヘキサン−１，４−ジカルボン酸イソウンデシルイソプロピルエステル、シクロヘキサン−１，４−ジカルボン酸ｎ−ドデシルイソプロピルエステル、シクロヘキサン−１，４−ジカルボン酸イソドデシルイソプロピルエステル、シクロヘキサン−１，４−ジカルボン酸ｎ−トリデシルイソプロピルエステル、シクロヘキサン−１，４−ジカルボン酸イソトリデシルイソプロピルエステル、
【００５２】
シクロヘキサン−１，４−ジカルボン酸ｔｅｒｔ−ブチルｎ−ブチルエステル、シクロヘキサン−１，４−ジカルボン酸イソブチルｎ−ブチルエステル、シクロヘキサン−１，４−ジカルボン酸グリコールｎ−ブチルエステル、シクロヘキサン−１，４−ジカルボン酸ｎ−ヘキシルｎ−ブチルエステル、シクロヘキサン−１，４−ジカルボン酸イソヘキシルｎ−ブチルエステル、シクロヘキサン−１，４−ジカルボン酸ｎ−ヘプチルｎ−ブチルエステル、シクロヘキサン−１，４−ジカルボン酸イソヘプチルｎ−ブチルエステル、シクロヘキサン−１，４−ジカルボン酸ｎ−オクチルｎ−ブチルエステル、シクロヘキサン−１，４−ジカルボン酸イソオクチルｎ−ブチルエステル、シクロヘキサン−１，４−ジカルボン酸２−エチルヘキシルｎ−ブチルエステル、シクロヘキサン−１，４−ジカルボン酸ｎ−ノニルｎ−ブチルエステル、シクロヘキサン−１，４−ジカルボン酸イソノニルｎ−ブチルエステル、シクロヘキサン−１，４−ジカルボン酸２−プロピルヘプチルｎ−ブチルエステル、シクロヘキサン−１，４−ジカルボン酸ｎ−デシルｎ−ブチルエステル、シクロヘキサン−１，４−ジカルボン酸イソデシルｎ−ブチルエステル、シクロヘキサン−１，４−ジカルボン酸ｎ−ウンデシルｎ−ブチルエステル、シクロヘキサン−１，４−ジカルボン酸イソウンデシルｎ−ブチルエステル、シクロヘキサン−１，４−ジカルボン酸ｎ−ドデシルｎ−ブチルエステル、シクロヘキサン−１，４−ジカルボン酸イソドデシルｎ−ブチルエステル、シクロヘキサン−１，４−ジカルボン酸ｎ−トリデシルｎ−ブチルエステル、シクロヘキサン−１，４−ジカルボン酸イソトリデシルｎ−ブチルエステル、
シクロヘキサン−１，４−ジカルボン酸イソブチルｔｅｒｔ−ブチルエステル、シクロヘキサン−１，４−ジカルボン酸グリコールｔｅｒｔ−ブチルエステル、シクロヘキサン−１，４−ジカルボン酸ｎ−ヘキシルｔｅｒｔ−ブチルエステル、シクロヘキサン−１，４−ジカルボン酸イソヘキシルｔｅｒｔ−ブチルエステル、シクロヘキサン−１，４−ジカルボン酸ｎ−ヘプチルｔｅｒｔ−ブチルエステル、シクロヘキサン−１，４−ジカルボン酸イソヘプチルｔｅｒｔ−ブチルエステル、シクロヘキサン−１，４−ジカルボン酸ｎ−オクチルｔｅｒｔ−ブチルエステル、シクロヘキサン−１，４−ジカルボン酸イソオクチルｔｅｒｔ−ブチルエステル、シクロヘキサン−１，４−ジカルボン酸２−エチルヘキシルｔｅｒｔ−ブチルエステル、シクロヘキサン−１，４−ジカルボン酸ｎ−ノニルｔｅｒｔ−ブチルエステル、シクロヘキサン−１，４−ジカルボン酸イソノニルｔｅｒｔ−ブチルエステル、シクロヘキサン−１，４−ジカルボン酸２−プロピルヘプチルｔｅｒｔ−ブチルエステル、シクロヘキサン−１，４−ジカルボン酸ｎ−デシルｔｅｒｔ−ブチルエステル、シクロヘキサン−１，４−ジカルボン酸イソデシルｔｅｒｔ−ブチルエステル、シクロヘキサン−１，４−ジカルボン酸ｎ−ウンデシルｔｅｒｔ−ブチルエステル、シクロヘキサン−１，４−ジカルボン酸イソウンデシルｔｅｒｔ−ブチルエステル、シクロヘキサン−１，４−ジカルボン酸ｎ−ドデシルｔｅｒｔ−ブチルエステル、シクロヘキサン−１，４−ジカルボン酸イソドデシルｔｅｒｔ−ブチルエステル、シクロヘキサン−１，４−ジカルボン酸ｎ−トリデシルｔｅｒｔ−ブチルエステル、シクロヘキサン−１，４−ジカルボン酸イソトリデシルｔｅｒｔ−ブチルエステル、
シクロヘキサン−１，４−ジカルボン酸グリコールイソブチルエステル、シクロヘキサン−１，４−ジカルボン酸ｎ−ヘキシルイソブチルエステル、シクロヘキサン−１，４−ジカルボン酸イソヘキシルイソブチルエステル、シクロヘキサン−１，４−ジカルボン酸ｎ−ヘプチルイソブチルエステル、シクロヘキサン−１，４−ジカルボン酸イソヘプチルイソブチルエステル、シクロヘキサン−１，４−ジカルボン酸ｎ−オクチルイソブチルエステル、シクロヘキサン−１，４−ジカルボン酸イソオクチルイソブチルエステル、シクロヘキサン−１，４−ジカルボン酸２−エチルヘキシルイソブチルエステル、シクロヘキサン−１，４−ジカルボン酸ｎ−ノニルイソブチルエステル、シクロヘキサン−１，４−ジカルボン酸イソノニルイソブチルエステル、シクロヘキサン−１，４−ジカルボン酸２−プロピルヘプチルイソブチルエステル、シクロヘキサン−１，４−ジカルボン酸ｎ−デシルイソブチルエステル、シクロヘキサン−１，４−ジカルボン酸イソデシルイソブチルエステル、シクロヘキサン−１，４−ジカルボン酸ｎ−ウンデシルイソブチルエステル、シクロヘキサン−１，４−ジカルボン酸イソウンデシルイソブチルエステル、シクロヘキサン−１，４−ジカルボン酸ｎ−ドデシルイソブチルエステル、シクロヘキサン−１，４−ジカルボン酸イソドデシルイソブチルエステル、シクロヘキサン−１，４−ジカルボン酸ｎ−トリデシルイソブチルエステル、シクロヘキサン−１，４−ジカルボン酸イソトリデシルイソブチルエステル、
【００５３】
シクロヘキサン−１，４−ジカルボン酸ｎ−ヘキシルグリコールエステル、シクロヘキサン−１，４−ジカルボン酸イソヘキシルグリコールエステル、シクロヘキサン−１，４−ジカルボン酸ｎ−ヘプチルグリコールエステル、シクロヘキサン−１，４−ジカルボン酸イソヘプチルグリコールエステル、シクロヘキサン−１，４−ジカルボン酸ｎ−オクチルグリコールエステル、シクロヘキサン−１，４−ジカルボン酸イソオクチルグリコールエステル、シクロヘキサン−１，４−ジカルボン酸２−エチルヘキシルグリコールエステル、シクロヘキサン−１，４−ジカルボン酸ｎ−ノニルグリコールエステル、シクロヘキサン−１，４−ジカルボン酸イソノニルグリコールエステル、シクロヘキサン−１，４−ジカルボン酸２−プロピルヘプチルグリコールエステル、シクロヘキサン−１，４−ジカルボン酸ｎ−デシルグリコールエステル、シクロヘキサン−１，４−ジカルボン酸イソデシルグリコールエステル、シクロヘキサン−１，４−ジカルボン酸ｎ−ウンデシルグリコールエステル、シクロヘキサン−１，４−ジカルボン酸イソウンデシルグリコールエステル、シクロヘキサン−１，４−ジカルボン酸ｎ−ドデシルグリコールエステル、シクロヘキサン−１，４−ジカルボン酸イソドデシルグリコールエステル、シクロヘキサン−１，４−ジカルボン酸ｎ−トリデシルグリコールエステル、シクロヘキサン−１，４−ジカルボン酸イソトリデシルグリコールエステル、
シクロヘキサン−１，４−ジカルボン酸イソヘキシルｎ−ヘキシルエステル、シクロヘキサン−１，４−ジカルボン酸ｎ−ヘプチルｎ−ヘキシルエステル、シクロヘキサン−１，４−ジカルボン酸イソヘプチルｎ−ヘキシルエステル、シクロヘキサン−１，４−ジカルボン酸ｎ−オクチルｎ−ヘキシルエステル、シクロヘキサン−１，４−ジカルボン酸イソオクチルｎ−ヘキシルエステル、シクロヘキサン−１，４−ジカルボン酸２−エチルヘキシルｎ−ヘキシルエステル、シクロヘキサン−１，４−ジカルボン酸ｎ−ノニルｎ−ヘキシルエステル、シクロヘキサン−１，４−ジカルボン酸イソノニルｎ−ヘキシルエステル、シクロヘキサン−１，４−ジカルボン酸２−プロピルヘプチルｎ−ヘキシルエステル、シクロヘキサン−１，４−ジカルボン酸ｎ−デシルｎ−ヘキシルエステル、シクロヘキサン−１，４−ジカルボン酸イソデシルｎ−ヘキシルエステル、シクロヘキサン−１，４−ジカルボン酸ｎ−ウンデシルｎ−ヘキシルエステル、シクロヘキサン−１，４−ジカルボン酸イソウンデシルｎ−ヘキシルエステル、シクロヘキサン−１，４−ジカルボン酸ｎ−ドデシルｎ−ヘキシルエステル、シクロヘキサン−１，４−ジカルボン酸イソドデシルｎ−ヘキシルエステル、シクロヘキサン−１，４−ジカルボン酸ｎ−トリデシルｎ−ヘキシルエステル、シクロヘキサン−１，４−ジカルボン酸イソトリデシルｎ−ヘキシルエステル、
シクロヘキサン−１，４−ジカルボン酸ｎ−ヘプチルイソヘキシルエステル、シクロヘキサン−１，４−ジカルボン酸イソヘプチルイソヘキシルエステル、シクロヘキサン−１，４−ジカルボン酸ｎ−オクチルイソヘキシルエステル、シクロヘキサン−１，４−ジカルボン酸イソオクチルイソヘキシルエステル、シクロヘキサン−１，４−ジカルボン酸２−エチルヘキシルイソヘキシルエステル、シクロヘキサン−１，４−ジカルボン酸ｎ−ノニルイソヘキシルエステル、シクロヘキサン−１，４−ジカルボン酸イソノニルイソヘキシルエステル、シクロヘキサン−１，４−ジカルボン酸２−プロピルヘプチルイソヘキシルエステル、シクロヘキサン−１，４−ジカルボン酸ｎ−デシルイソヘキシルエステル、シクロヘキサン−１，４−ジカルボン酸イソデシルイソヘキシルエステル、シクロヘキサン−１，４−ジカルボン酸ｎ−ウンデシルイソヘキシルエステル、シクロヘキサン−１，４−ジカルボン酸イソウンデシルイソヘキシルエステル、シクロヘキサン−１，４−ジカルボン酸ｎ−ドデシルイソヘキシルエステル、シクロヘキサン−１，４−ジカルボン酸イソドデシルイソヘキシルエステル、シクロヘキサン−１，４−ジカルボン酸ｎ−トリデシルイソヘキシルエステル、シクロヘキサン−１，４−ジカルボン酸イソトリデシルイソヘキシルエステル、
【００５４】
シクロヘキサン−１，４−ジカルボン酸イソヘプチルｎ−ヘプチルエステル、シクロヘキサン−１，４−ジカルボン酸ｎ−オクチルｎ−ヘプチルエステル、シクロヘキサン−１，４−ジカルボン酸イソオクチルｎ−ヘプチルエステル、シクロヘキサン−１，４−ジカルボン酸２−エチルヘキシルｎ−ヘプチルエステル、シクロヘキサン−１，４−ジカルボン酸ｎ−ノニルｎ−ヘプチルエステル、シクロヘキサン−１，４−ジカルボン酸イソノニルｎ−ヘプチルエステル、シクロヘキサン−１，４−ジカルボン酸２−プロピルヘプチルｎ−ヘプチルエステル、シクロヘキサン−１，４−ジカルボン酸ｎ−デシルｎ−ヘプチルエステル、シクロヘキサン−１，４−ジカルボン酸イソデシルｎ−ヘプチルエステル、シクロヘキサン−１，４−ジカルボン酸ｎ−ウンデシルｎ−ヘプチルエステル、シクロヘキサン−１，４−ジカルボン酸イソウンデシルｎ−ヘプチルエステル、シクロヘキサン−１，４−ジカルボン酸ｎ−ドデシルｎ−ヘプチルエステル、シクロヘキサン−１，４−ジカルボン酸イソドデシルｎ−ヘプチルエステル、シクロヘキサン−１，４−ジカルボン酸ｎ−トリデシルｎ−ヘプチルエステル、シクロヘキサン−１，４−ジカルボン酸イソトリデシルｎ−ヘプチルエステル、
シクロヘキサン−１，４−ジカルボン酸ｎ−オクチルイソヘプチルエステル、シクロヘキサン−１，４−ジカルボン酸イソオクチルイソヘプチルエステル、シクロヘキサン−１，４−ジカルボン酸２−エチルヘキシルイソヘプチルエステル、シクロヘキサン−１，４−ジカルボン酸ｎ−ノニルイソヘプチルエステル、シクロヘキサン−１，４−ジカルボン酸イソノニルイソヘプチルエステル、シクロヘキサン−１，４−ジカルボン酸２−プロピルヘプチルイソヘプチルエステル、シクロヘキサン−１，４−ジカルボン酸ｎ−デシルイソヘプチルエステル、シクロヘキサン−１，４−ジカルボン酸イソデシルイソヘプチルエステル、シクロヘキサン−１，４−ジカルボン酸ｎ−ウンデシルイソヘプチルエステル、シクロヘキサン−１，４−ジカルボン酸イソウンデシルイソヘプチルエステル、シクロヘキサン−１，４−ジカルボン酸ｎ−ドデシルイソヘプチルエステル、シクロヘキサン−１，４−ジカルボン酸イソドデシルイソヘプチルエステル、シクロヘキサン−１，４−ジカルボン酸ｎ−トリデシルイソヘプチルエステル、シクロヘキサン−１，４−ジカルボン酸イソトリデシルイソヘプチルエステル、
シクロヘキサン−１，４−ジカルボン酸イソオクチルｎ−オクチルエステル、シクロヘキサン−１，４−ジカルボン酸２−エチルヘキシルｎ−オクチルエステル、シクロヘキサン−１，４−ジカルボン酸ｎ−ノニルｎ−オクチルエステル、シクロヘキサン−１，４−ジカルボン酸イソノニルｎ−オクチルエステル、シクロヘキサン−１，４−ジカルボン酸２−プロピルヘプチルｎ−オクチルエステル、シクロヘキサン−１，４−ジカルボン酸ｎ−デシルｎ−オクチルエステル、シクロヘキサン−１，４−ジカルボン酸イソデシルｎ−オクチルエステル、シクロヘキサン−１，４−ジカルボン酸ｎ−ウンデシルｎ−オクチルエステル、シクロヘキサン−１，４−ジカルボン酸イソウンデシルｎ−オクチルエステル、シクロヘキサン−１，４−ジカルボン酸ｎ−ドデシルｎ−オクチルエステル、シクロヘキサン−１，４−ジカルボン酸イソドデシルｎ−オクチルエステル、シクロヘキサン−１，４−ジカルボン酸ｎ−トリデシルｎ−オクチルエステル、シクロヘキサン−１，４−ジカルボン酸イソトリデシルｎ−オクチルエステル、
シクロヘキサン−１，４−ジカルボン酸２−エチルヘキシルイソオクチルエステル、シクロヘキサン−１，４−ジカルボン酸ｎ−ノニルイソオクチルエステル、シクロヘキサン−１，４−ジカルボン酸イソノニルイソオクチルエステル、シクロヘキサン−１，４−ジカルボン酸２−プロピルヘプチルイソオクチルエステル、シクロヘキサン−１，４−ジカルボン酸ｎ−デシルイソオクチルエステル、シクロヘキサン−１，４−ジカルボン酸イソデシルイソオクチルエステル、シクロヘキサン−１，４−ジカルボン酸ｎ−ウンデシルイソオクチルエステル、シクロヘキサン−１，４−ジカルボン酸イソウンデシルイソオクチルエステル、シクロヘキサン−１，４−ジカルボン酸ｎ−ドデシルイソオクチルエステル、シクロヘキサン−１，４−ジカルボン酸イソドデシルイソオクチルエステル、シクロヘキサン−１，４−ジカルボン酸ｎ−トリデシルイソオクチルエステル、シクロヘキサン−１，４−ジカルボン酸イソトリデシルイソオクチルエステル、
【００５５】
シクロヘキサン−１，４−ジカルボン酸ｎ−ノニル２−エチルヘキシルエステル、シクロヘキサン−１，４−ジカルボン酸イソノニル２−エチルヘキシルエステル、シクロヘキサン−１，４−ジカルボン酸２−プロピルヘプチル２−エチルヘキシルエステル、シクロヘキサン−１，４−ジカルボン酸ｎ−デシル２−エチルヘキシルエステル、シクロヘキサン−１，４−ジカルボン酸イソデシル２−エチルヘキシルエステル、シクロヘキサン−１，４−ジカルボン酸ｎ−ウンデシル２−エチルヘキシルエステル、シクロヘキサン−１，４−ジカルボン酸イソウンデシル２−エチルヘキシルエステル、シクロヘキサン−１，４−ジカルボン酸ｎ−ドデシル２−エチルヘキシルエステル、シクロヘキサン−１，４−ジカルボン酸イソドデシル２−エチルヘキシルエステル、シクロヘキサン−１，４−ジカルボン酸ｎ−トリデシル２−エチルヘキシルエステル、シクロヘキサン−１，４−ジカルボン酸イソトリデシル２−エチルヘキシルエステル、
シクロヘキサン−１，４−ジカルボン酸イソノニルｎ−ノニルエステル、シクロヘキサン−１，４−ジカルボン酸２−プロピルヘプチルｎ−ノニルエステル、シクロヘキサン−１，４−ジカルボン酸ｎ−デシルｎ−ノニルエステル、シクロヘキサン−１，４−ジカルボン酸イソデシルｎ−ノニルエステル、シクロヘキサン−１，４−ジカルボン酸ｎ−ウンデシルｎ−ノニルエステル、シクロヘキサン−１，４−ジカルボン酸イソウンデシルｎ−ノニルエステル、シクロヘキサン−１，４−ジカルボン酸ｎ−ドデシルｎ−ノニルエステル、シクロヘキサン−１，４−ジカルボン酸イソドデシルｎ−ノニルエステル、シクロヘキサン−１，４−ジカルボン酸ｎ−トリデシルｎ−ノニルエステル、シクロヘキサン−１，４−ジカルボン酸イソトリデシルｎ−ノニルエステル、
シクロヘキサン−１，４−ジカルボン酸２−プロピルヘプチルイソノニルエステル、シクロヘキサン−１，４−ジカルボン酸ｎ−デシルイソノニルエステル、シクロヘキサン−１，４−ジカルボン酸イソデシルイソノニルエステル、シクロヘキサン−１，４−ジカルボン酸ｎ−ウンデシルイソノニルエステル、シクロヘキサン−１，４−ジカルボン酸イソウンデシルイソノニルエステル、シクロヘキサン−１，４−ジカルボン酸ｎ−ドデシルイソノニルエステル、シクロヘキサン−１，４−ジカルボン酸イソドデシルイソノニルエステル、シクロヘキサン−１，４−ジカルボン酸ｎ−トリデシルイソノニルエステル、シクロヘキサン−１，４−ジカルボン酸イソトリデシルイソノニルエステル、
シクロヘキサン−１，４−ジカルボン酸ｎ−デシル２−プロピルヘプチルエステル、シクロヘキサン−１，４−ジカルボン酸イソデシル２−プロピルヘプチルエステル、シクロヘキサン−１，４−ジカルボン酸ｎ−ウンデシル２−プロピルヘプチルエステル、シクロヘキサン−１，４−ジカルボン酸イソウンデシル２−プロピルヘプチルエステル、シクロヘキサン−１，４−ジカルボン酸ｎ−ドデシル２−プロピルヘプチルエステル、シクロヘキサン−１，４−ジカルボン酸イソドデシル２−プロピルヘプチルエステル、シクロヘキサン−１，４−ジカルボン酸ｎ−トリデシル２−プロピルヘプチルエステル、シクロヘキサン−１，４−ジカルボン酸イソトリデシル２−プロピルヘプチルエステル、
シクロヘキサン−１，４−ジカルボン酸イソデシルｎ−デシルエステル、シクロヘキサン−１，４−ジカルボン酸ｎ−ウンデシルｎ−デシルエステル、シクロヘキサン−１，４−ジカルボン酸イソウンデシルｎ−デシルエステル、シクロヘキサン−１，４−ジカルボン酸ｎ−ドデシルｎ−デシルエステル、シクロヘキサン−１，４−ジカルボン酸イソドデシルｎ−デシルエステル、シクロヘキサン−１，４−ジカルボン酸ｎ−トリデシルｎ−デシルエステル、シクロヘキサン−１，４−ジカルボン酸イソトリデシルｎ−デシルエステル、
シクロヘキサン−１，４−ジカルボン酸ｎ−ウンデシルイソデシルエステル、シクロヘキサン−１，４−ジカルボン酸イソウンデシルイソデシルエステル、シクロヘキサン−１，４−ジカルボン酸ｎ−ドデシルイソデシルエステル、シクロヘキサン−１，４−ジカルボン酸イソドデシルイソデシルエステル、シクロヘキサン−１，４−ジカルボン酸ｎ−トリデシルイソデシルエステル、シクロヘキサン−１，４−ジカルボン酸イソトリデシルイソデシルエステル、
【００５６】
シクロヘキサン−１，４−ジカルボン酸イソウンデシルｎ−ウンデシルエステル、シクロヘキサン−１，４−ジカルボン酸ｎ−ドデシルｎ−ウンデシルエステル、シクロヘキサン−１，４−ジカルボン酸イソドデシルｎ−ウンデシルエステル、シクロヘキサン−１，４−ジカルボン酸ｎ−トリデシルｎ−ウンデシルエステル、シクロヘキサン−１，４−ジカルボン酸イソトリデシルｎ−ウンデシルエステル、
シクロヘキサン−１，４−ジカルボン酸ｎ−ドデシルイソウンデシルエステル、シクロヘキサン−１，４−ジカルボン酸イソドデシルイソウンデシルエステル、シクロヘキサン−１，４−ジカルボン酸ｎ−トリデシルイソウンデシルエステル、シクロヘキサン−１，４−ジカルボン酸イソトリデシルイソウンデシルエステル、
シクロヘキサン−１，４−ジカルボン酸イソドデシルｎ−ドデシルエステル、シクロヘキサン−１，４−ジカルボン酸ｎ−トリデシルｎ−ドデシルエステル、シクロヘキサン−１，４−ジカルボン酸イソトリデシルｎ−ドデシルエステル、
シクロヘキサン−１，４−ジカルボン酸ｎ−トリデシルイソドデシルエステル、シクロヘキサン−１，４−ジカルボン酸イソトリデシルイソドデシルエステル、
シクロヘキサン−１，４−ジカルボン酸イソトリデシルｎ−トリデシルエステル、
シクロヘキサン−１，４−ジカルボン酸メチルシクロヘキシルエステル、シクロヘキサン−１，４−ジカルボン酸エチルシクロヘキシルエステル、シクロヘキサン−１，４−ジカルボン酸ｎ−プロピルシクロヘキシルエステル、シクロヘキサン−１，４−ジカルボン酸イソプロピルシクロヘキシルエステル、シクロヘキサン−１，４−ジカルボン酸ｎ−ブチルシクロヘキシルエステル、シクロヘキサン−１，４−ジカルボン酸ｔｅｒｔ−ブチルシクロヘキシルエステル、シクロヘキサン−１，４−ジカルボン酸イソブチルシクロヘキシルエステル、シクロヘキサン−１，４−ジカルボン酸グリコールシクロヘキシルエステル、シクロヘキサン−１，４−ジカルボン酸ｎ−ヘキシルシクロヘキシルエステル、シクロヘキサン−１，４−ジカルボン酸イソヘキシルシクロヘキシルエステル、シクロヘキサン−１，４−ジカルボン酸ｎ−ヘプチルシクロヘキシルエステル、シクロヘキサン−１，４−ジカルボン酸イソヘプチルシクロヘキシルエステル、シクロヘキサン−１，４−ジカルボン酸ｎ−オクチルイソヘキシルエステル、シクロヘキサン−１，４−ジカルボン酸イソオクチルシクロヘキシルエステル、シクロヘキサン−１，４−ジカルボン酸２−エチルヘキシルシクロヘキシルエステル、シクロヘキサン−１，４−ジカルボン酸ｎ−ノニルシクロヘキシルエステル、シクロヘキサン−１，４−ジカルボン酸イソノニルシクロヘキシルエステル、シクロヘキサン−１，４−ジカルボン酸２−プロピルヘプチルシクロヘキシルエステル、シクロヘキサン−１，４−ジカルボン酸ｎ−デシルシクロヘキシルエステル、シクロヘキサン−１，４−ジカルボン酸イソデシルシクロヘキシルエステル、シクロヘキサン−１，４−ジカルボン酸ｎ−ウンデシルシクロヘキシルエステル、シクロヘキサン−１，４−ジカルボン酸イソウンデシルシクロヘキシルエステル、シクロヘキサン−１，４−ジカルボン酸ｎ−ドデシルシクロヘキシルエステル、シクロヘキサン−１，４−ジカルボン酸イソドデシルシクロヘキシルエステル、シクロヘキサン−１，４−ジカルボン酸ｎ−トリデシルシクロヘキシルエステル、シクロヘキサン−１，４−ジカルボン酸イソトリデシルシクロヘキシルエステル、
シクロヘキサン−１，４−ジカルボン酸メチルイソペンチルエステル、シクロヘキサン−１，４−ジカルボン酸エチルイソペンチルエステル、シクロヘキサン−１，４−ジカルボン酸ｎ−プロピルイソペンチルエステル、シクロヘキサン−１，４−ジカルボン酸イソプロピルイソペンチルエステル、シクロヘキサン−１，４−ジカルボン酸ｎ−ブチルイソペンチルエステル、シクロヘキサン−１，４−ジカルボン酸ｔｅｒｔ−ブチルイソペンチルエステル、シクロヘキサン−１，４−ジカルボン酸イソブチルイソペンチルエステル、シクロヘキサン−１，４−ジカルボン酸グリコールイソペンチルエステル、シクロヘキサン−１，４−ジカルボン酸ｎ−ヘキシルイソペンチルエステル、シクロヘキサン−１，４−ジカルボン酸イソヘキシルイソペンチルエステル、シクロヘキサン−１，４−ジカルボン酸ｎ−ヘプチルイソペンチルエステル、シクロヘキサン−１，４−ジカルボン酸イソヘプチルイソペンチルエステル、シクロヘキサン−１，４−ジカルボン酸ｎ−オクチルイソヘキシルエステル、シクロヘキサン−１，４−ジカルボン酸イソオクチルイソペンチルエステル、シクロヘキサン−１，４−ジカルボン酸２−エチルヘキシルイソペンチルエステル、シクロヘキサン−１，４−ジカルボン酸ｎ−ノニルイソペンチルエステル、シクロヘキサン−１，４−ジカルボン酸イソノニルイソペンチルエステル、シクロヘキサン−１，４−ジカルボン酸２−プロピルヘプチルイソペンチルエステル、シクロヘキサン−１，４−ジカルボン酸ｎ−デシルイソペンチルエステル、シクロヘキサン−１，４−ジカルボン酸イソデシルイソペンチルエステル、シクロヘキサン−１，４−ジカルボン酸ｎ−ウンデシルイソペンチルエステル、シクロヘキサン−１，４−ジカルボン酸イソウンデシルイソペンチルエステル、シクロヘキサン−１，４−ジカルボン酸ｎ−ドデシルイソペンチルエステル、シクロヘキサン−１，４−ジカルボン酸イソドデシルイソペンチルエステル、シクロヘキサン−１，４−ジカルボン酸ｎ−トリデシルイソペンチルエステル、シクロヘキサン−１，４−ジカルボン酸イソトリデシルイソペンチルエステル、
【００５７】
シクロヘキサン−１，４−ジカルボン酸メチルｎ−ペンチルエステル、シクロヘキサン−１，４−ジカルボン酸エチルｎ−ペンチルエステル、シクロヘキサン−１，４−ジカルボン酸ｎ−プロピルｎ−ペンチルエステル、シクロヘキサン−１，４−ジカルボン酸イソプロピルｎ−ペンチルエステル、シクロヘキサン−１，４−ジカルボン酸ｎ−ブチルｎ−ペンチルエステル、シクロヘキサン−１，４−ジカルボン酸ｔｅｒｔ−ブチルｎ−ペンチルエステル、シクロヘキサン−１，４−ジカルボン酸イソブチルｎ−ペンチルエステル、シクロヘキサン−１，４−ジカルボン酸グリコールｎ−ペンチルエステル、シクロヘキサン−１，４−ジカルボン酸ｎ−ヘキシルｎ−ペンチルエステル、シクロヘキサン−１，４−ジカルボン酸イソヘキシルｎ−ペンチルエステル、シクロヘキサン−１，４−ジカルボン酸ｎ−ヘプチルｎ−ペンチルエステル、シクロヘキサン−１，４−ジカルボン酸イソヘプチルｎ−ペンチルエステル、シクロヘキサン−１，４−ジカルボン酸ｎ−オクチルｎ−ペンチルエステル、シクロヘキサン−１，４−ジカルボン酸イソオクチルｎ−ペンチルエステル、シクロヘキサン−１，４−ジカルボン酸２−エチルヘキシルｎ−ペンチルエステル、シクロヘキサン−１，４−ジカルボン酸ｎ−ノニルｎ−ペンチルエステル、シクロヘキサン−１，４−ジカルボン酸イソノニルｎ−ペンチルエステル、シクロヘキサン−１，４−ジカルボン酸２−プロピルヘプチルｎ−ペンチルエステル、シクロヘキサン−１，４−ジカルボン酸ｎ−デシルｎ−ペンチルエステル、シクロヘキサン−１，４−ジカルボン酸イソデシルｎ−ペンチルエステル、シクロヘキサン−１，４−ジカルボン酸ｎ−ウンデシルｎ−ペンチルエステル、シクロヘキサン−１，４−ジカルボン酸イソウンデシルｎ−ペンチルエステル、シクロヘキサン−１，４−ジカルボン酸ｎ−ドデシルｎ−ペンチルエステル、シクロヘキサン−１，４−ジカルボン酸イソドデシルｎ−ペンチルエステル、シクロヘキサン−１，４−ジカルボン酸ｎ−トリデシルｎ−ペンチルエステル、シクロヘキサン−１，４−ジカルボン酸イソトリデシルｎ−ペンチルエステル、
シクロヘキサン−１，３−ジカルボン酸のアルキルエステル、例えばシクロヘキサン−１，３−ジカルボン酸モノメチルエステル、シクロヘキサン−１，３−ジカルボン酸ジメチルエステル、シクロヘキサン−１，３−ジカルボン酸ジエチルエステル、シクロヘキサン−１，３−ジカルボン酸ジ−ｎ−プロピルエステル、シクロヘキサン−１，３−ジカルボン酸ジ−ｎ−ブチルエステル、シクロヘキサン−１，３−ジカルボン酸ジ−ｔｅｒｔ−ブチルエステル、シクロヘキサン−１，３−ジカルボン酸ジイソブチルエステル、シクロヘキサン−１，３−ジカルボン酸モノグリコールエステル、シクロヘキサン−１，３−ジカルボン酸ジグリコールエステル、シクロヘキサン−１，３−ジカルボン酸ジ−ｎ−オクチルエステル、シクロヘキサン−１，３−ジカルボン酸ジイソオクチルエステル、シクロヘキサン−１，３−ジカルボン酸ジ−２−エチルヘキシルエステル、シクロヘキサン−１，３−ジカルボン酸ジ−ｎ−ノニルエステル、シクロヘキサン−１，３−ジカルボン酸ジイソノニルエステル、シクロヘキサン−１，３−ジカルボン酸ジ−ｎ−デシルエステル、シクロヘキサン−１，３−ジカルボン酸ジイソデシルエステル、シクロヘキサン−１，３−ジカルボン酸ジ−ｎ−ウンデシルエステル、シクロヘキサン−１，３−ジカルボン酸ジイソデシルエステル、シクロヘキサン−１，３−ジカルボン酸ジイソドデシルエステル、シクロヘキサン−１，３−ジカルボン酸ジ−ｎ−オクタデシルエステル、シクロヘキサン−１，３−ジカルボン酸ジイソオクタデシルエステル、シクロヘキサン−１，３−ジカルボン酸ジ−ｎ−エイコシルエステル、シクロヘキサン−１，３−ジカルボン酸モノシクロヘキシルエスエル、シクロヘキサン−１，３−ジカルボン酸ジシクロヘキシルエステル、
シクロヘキサン−１，３−ジカルボン酸ジイソプロピルエステル、シクロヘキサン−１，３−ジカルボン酸ジ−ｎ−ヘキシルエステル、シクロヘキサン−１，３−ジカルボン酸ジイソヘキシルエステル、シクロヘキサン−１，３−ジカルボン酸ジ−ｎ−ヘプチルエステル、シクロヘキサン−１，３−ジカルボン酸ジイソヘプチルエステル、シクロヘキサン−１，３−ジカルボン酸ジ−２−プロピルヘプチルエステル、シクロヘキサン−１，３−ジカルボン酸ジイソウンデシルエステル、シクロヘキサン−１，３−ジカルボン酸ジ−ｎ−ドデシルエステル、シクロヘキサン−１，３−ジカルボン酸ジ−ｎ−トリデシルエステル、シクロヘキサン−１，３−ジカルボン酸ジイソトリデシルエステル、シクロヘキサン−１，３−ジカルボン酸ジ−ｎ−ペンチルエステル、シクロヘキサン−１，３−ジカルボン酸ジイソペンチルエステル、
【００５８】
シクロヘキサン−１，２，４−トリカルボン酸のアルキルエステル、例えばシクロヘキサン−１，２，４−トリカルボン酸モノメチルエステル、シクロヘキサン−１，２，４−トリカルボン酸ジメチルエステル、シクロヘキサン−１，２，４−トリカルボン酸ジエチルエステル、シクロヘキサン−１，２，４−トリカルボン酸ジ−ｎ−プロピルエステル、シクロヘキサン−１，２，４−トリカルボン酸ジ−イソプロピルエステル、シクロヘキサン−１，２，４−トリカルボン酸ジ−ｎ−ブチルエステル、シクロヘキサン−１，２，４−トリカルボン酸ジ−ｔｅｒｔ−ブチルエステル、シクロヘキサン−１，２，４−トリカルボン酸ジイソブチルエステル、シクロヘキサン−１，２，４−トリカルボン酸モノグリコールエステル、シクロヘキサン−１，２，４−トリカルボン酸ジグリコールエステル、シクロヘキサン−１，２，４−トリカルボン酸ジ−ｎ−オクチルエステル、シクロヘキサン−１，２，４−トリカルボン酸ジイソオクチルエステル、シクロヘキサン−１，２，４−トリカルボン酸ジ−２−エチルヘキシルエステル、シクロヘキサン−１，２，４−トリカルボン酸ジ−ｎ−ノニルエステル、シクロヘキサン−１，２，４−トリカルボン酸ジイソノニルエステル、シクロヘキサン−１，２，４−トリカルボン酸ジ−ｎ−デシルエステル、シクロヘキサン−１，２，４−トリカルボン酸ジイソデシルエステル、シクロヘキサン−１，２，４−トリカルボン酸ジ−ｎ−ウンデシルエステル、シクロヘキサン−１，２，４−トリカルボン酸ジイソドデシルエステル、シクロヘキサン−１，２，４−トリカルボン酸ジ−ｎ−オクタデシルエステル、シクロヘキサン−１，２，４−トリカルボン酸ジイソオクタデシルエステル、シクロヘキサン−１，２，４−トリカルボン酸ジ−ｎ−エイコシルエステル、シクロヘキサン−１，２，４−トリカルボン酸モノシクロヘキシルエスエル、シクロヘキサン−１，２，４−トリカルボン酸ジシクロヘキシルエステル、
シクロヘキサン−１，２，４−トリカルボン酸トリメチルエステル、シクロヘキサン−１，２，４−トリカルボン酸トリエチルエステル、シクロヘキサン−１，２，４−トリカルボン酸トリ−ｎ−プロピルエステル、シクロヘキサン−１，２，４−トリカルボン酸トリソプロピルエステル、シクロヘキサン−１，２，４−トリカルボン酸トリ−ｎ−ブチルエステル、シクロヘキサン−１，２，４−トリカルボン酸トリ−ｔｅｒｔ−ブチルエステル、シクロヘキサン−１，２，４−トリカルボン酸トリイソブチルエステル、シクロヘキサン−１，２，４−トリカルボン酸トリグリコールエステル、シクロヘキサン−１，２，４−トリカルボン酸トリ−ｎ−オクチルエステル、シクロヘキサン−１，２，４−トリカルボン酸トリイソオクチルエステル、シクロヘキサン−１，２，４−トリカルボン酸トリ−２−エチルヘキシルエステル、シクロヘキサン−１，２，４−トリカルボン酸トリ−ｎ−ノニルエステル、シクロヘキサン−１，２，４−トリカルボン酸トリイソノニルエステル、シクロヘキサン−１，２，４−トリカルボン酸トリ−ｎ−デシルエステル、シクロヘキサン−１，２，４−トリカルボン酸トリイソデシルエステル、シクロヘキサン−１，２，４−トリカルボン酸トリ−ｎ−ウンデシルエステル、シクロヘキサン−１，２，４−トリカルボン酸トリイソドデシルエステル、シクロヘキサン−１，２，４−トリカルボン酸トリ−ｎ−オクタデシルエステル、シクロヘキサン−１，２，４−トリカルボン酸トリイソオクタデシルエステル、シクロヘキサン−１，２，４−トリカルボン酸トリ−ｎ−エイコシルエステル、シクロヘキサン−１，２，４−トリカルボン酸トリシクロヘキシルエステル、
【００５９】
シクロヘキサン−１，２，４−トリカルボン酸ジ−ｎ−ヘキシルエステル、シクロヘキサン−１，２，４−トリカルボン酸ジイソヘキシルエステル、シクロヘキサン−１，２，４−トリカルボン酸トリ−ｎ−ヘキシルエステル、シクロヘキサン−１，２，４−トリカルボン酸トリイソヘキシルエステル、シクロヘキサン−１，２，４−トリカルボン酸ジ−ｎ−ヘプチルエステル、シクロヘキサン−１，２，４−トリカルボン酸ジイソヘプチルエステル、シクロヘキサン−１，２，４−トリカルボン酸トリ−ｎ−ヘプチルエステル、シクロヘキサン−１，２，４−トリカルボン酸トリイソヘプチルエステル、シクロヘキサン−１，２，４−トリカルボン酸ジ−ｎ−ペンチルエステル、シクロヘキサン−１，２，４−トリカルボン酸ジイソペンチルエステル、シクロヘキサン−１，２，４−トリカルボン酸トリ−ｎ−ペンチルエステル、シクロヘキサン−１，２，４−トリカルボン酸トリイソペンチルエステル、シクロヘキサン−１，２，４−トリカルボン酸ジ−ｎ−トリデシルエステル、シクロヘキサン−１，２，４−トリカルボン酸ジイソトリデシルエステル、シクロヘキサン−１，２，４−トリカルボン酸トリ−ｎ−トリデシルエステル、シクロヘキサン−１，２，４−トリカルボン酸ジ−ｎ−トリイソトリデシルエステル、シクロヘキサン−１，２，４−トリカルボン酸ジ−ｎ−ドデシルエステル、シクロヘキサン−１，２，４−トリカルボン酸ジイソウンデシルエステル、シクロヘキサン−１，２，４−トリカルボン酸トリ−ｎ−トリデシルエステル、シクロヘキサン−１，２，４−トリカルボン酸トリイソウンデシルエステル、シクロヘキサン−１，２，４−トリカルボン酸トリイソプロピルエステル、
シクロヘキサン−１，３，５−トリカルボン酸のアルキルエステル、例えばシクロヘキサン−１，３，５−トリカルボン酸モノメチルエステル、シクロヘキサン−１，３，５−トリカルボン酸ジメチルエステル、シクロヘキサン−１，３，５−トリカルボン酸ジエチルエステル、シクロヘキサン−１，３，５−トリカルボン酸ジ−ｎ−プロピルエステル、シクロヘキサン−１，３，５−トリカルボン酸ジ−ｎ−ブチルエステル、シクロヘキサン−１，３，５−トリカルボン酸ジ−ｔｅｒｔ−ブチルエステル、シクロヘキサン−１，３，５−トリカルボン酸ジイソブチルエステル、シクロヘキサン−１，３，５−トリカルボン酸モノグリコールエステル、シクロヘキサン−１，３，５−トリカルボン酸ジグリコールエステル、シクロヘキサン−１，３，５−トリカルボン酸ジ−ｎ−オクチルエステル、シクロヘキサン−１，３，５−トリカルボン酸ジイソオクチルエステル、シクロヘキサン−１，３，５−トリカルボン酸ジ−２−エチルヘキシルエステル、シクロヘキサン−１，３，５−トリカルボン酸ジ−ｎ−ノニルエステル、シクロヘキサン−１，３，５−トリカルボン酸ジイソノニルエステル、シクロヘキサン−１，３，５−トリカルボン酸ジ−ｎ−デシルエステル、シクロヘキサン−１，３，５−トリカルボン酸ジイソデシルエステル、シクロヘキサン−１，３，５−トリカルボン酸ジ−ｎ−ウンデシルエステル、シクロヘキサン−１，３，５−トリカルボン酸ジイソドデシルエステル、シクロヘキサン−１，３，５−トリカルボン酸ジ−ｎ−オクタデシルエステル、シクロヘキサン−１，３，５−トリカルボン酸ジイソオクタデシルエステル、シクロヘキサン−１，３，５−トリカルボン酸ジ−ｎ−エイコシルエステル、シクロヘキサン−１，３，５−トリカルボン酸モノシクロヘキシルエスエル、シクロヘキサン−１，３，５−トリカルボン酸ジシクロヘキシルエステル、
【００６０】
シクロヘキサン−１，３，５−トリカルボン酸トリメチルエステル、シクロヘキサン−１，３，５−トリカルボン酸トリエチルエステル、シクロヘキサン−１，３，５−トリカルボン酸トリ−ｎ−プロピルエステル、シクロヘキサン−１，３，５−トリカルボン酸トリ−ｎ−ブチルエステル、シクロヘキサン−１，３，５−トリカルボン酸トリ−ｔｅｒｔ−ブチルエステル、シクロヘキサン−１，３，５−トリカルボン酸トリイソブチルエステル、シクロヘキサン−１，３，５−トリカルボン酸トリグリコールエステル、シクロヘキサン−１，３，５−トリカルボン酸トリ−ｎ−オクチルエステル、シクロヘキサン−１，３，５−トリカルボン酸トリイソオクチルエステル、シクロヘキサン−１，３，５−トリカルボン酸トリ−２−エチルヘキシルエステル、シクロヘキサン−１，３，５−トリカルボン酸トリ−ｎ−ノニルエステル、シクロヘキサン−１，３，５−トリカルボン酸トリイソノニルエステル、シクロヘキサン−１，３，５−トリカルボン酸トリ−ｎ−デシルエステル、シクロヘキサン−１，３，５−トリカルボン酸トリイソデシルエステル、シクロヘキサン−１，３，５−トリカルボン酸トリ−ｎ−ウンデシルエステル、シクロヘキサン−１，３，５−トリカルボン酸トリイソドデシルエステル、シクロヘキサン−１，３，５−トリカルボン酸トリ−ｎ−オクタデシルエステル、シクロヘキサン−１，３，５−トリカルボン酸トリイソオクタデシルエステル、シクロヘキサン−１，３，５−トリカルボン酸トリ−ｎ−エイコシルエステル、シクロヘキサン−１，３，５−トリカルボン酸モノシクロヘキシルエスエル、シクロヘキサン−１，３，５−トリカルボン酸トリシクロヘキシルエステル、
シクロヘキサン−１，３，５−トリカルボン酸ジ−ｎ−ヘキシルエステル、シクロヘキサン−１，３，５−トリカルボン酸ジイソヘキシルエステル、シクロヘキサン−１，３，５−トリカルボン酸ジ−ｎ−ヘキシルエステル、シクロヘキサン−１，３，５−トリカルボン酸トリ−ｎ−ヘキシルエステル、シクロヘキサン−１，３，５−トリカルボン酸トリイソヘキシルエステル、シクロヘキサン−１，３，５−トリカルボン酸ジ−ｎ−ヘキシルエステル、シクロヘキサン−１，３，５−トリカルボン酸ジイソヘプチルエステル、シクロヘキサン−１，３，５−トリカルボン酸トリ−ｎ−ヘプチルエステル、シクロヘキサン−１，３，５−トリカルボン酸トリイソヘプチルエステル、シクロヘキサン−１，３，５−トリカルボン酸ジ−ｎ−ペンチルエステル、シクロヘキサン−１，３，５−トリカルボン酸ジイソペンチルエステル、シクロヘキサン−１，３，５−トリカルボン酸トリ−ｎ−ペンチルエステル、シクロヘキサン−１，３，５−トリカルボン酸トリイソペンチルエステル、シクロヘキサン−１，３，５−トリカルボン酸ジ−ｎ−トリデシルエステル、シクロヘキサン−１，３，５−トリカルボン酸ジイソトリデシルエステル、シクロヘキサン−１，３，５−トリカルボン酸トリ−ｎ−トリデシルエステル、シクロヘキサン−１，３，５−トリカルボン酸ジ−ｎ−トリイソトリデシルエステル、シクロヘキサン−１，３，５−トリカルボン酸ジ−ｎ−ドデシルエステル、シクロヘキサン−１，３，５−トリカルボン酸ジイソウンデシルエステル、シクロヘキサン−１，３，５−トリカルボン酸トリ−ｎ−ドデシルエステル、シクロヘキサン−１，３，５−トリカルボン酸トリイソウンデシルエステル、シクロヘキサン−１，３，５−トリカルボン酸トリイソプロピルエステル、
シクロヘキサン−１，２，３−トリカルボン酸のアルキルエステル、例えばシクロヘキサン−１，２，３−トリカルボン酸モノメチルエステル、シクロヘキサン−１，２，３−トリカルボン酸ジメチルエステル、シクロヘキサン−１，２，３−トリカルボン酸ジエチルエステル、シクロヘキサン−１，２，３−トリカルボン酸ジ−ｎ−プロピルエステル、シクロヘキサン−１，２，３−トリカルボン酸ジ−ｎ−ブチルエステル、シクロヘキサン−１，２，３−トリカルボン酸ジ−ｔｅｒｔ−ブチルエステル、シクロヘキサン−１，２，３−トリカルボン酸ジイソブチルエステル、シクロヘキサン−１，２，３−トリカルボン酸モノグリコールエステル、シクロヘキサン−１，２，３−トリカルボン酸ジグリコールエステル、シクロヘキサン−１，２，３−トリカルボン酸ジ−ｎ−オクチルエステル、シクロヘキサン−１，２，３−トリカルボン酸ジイソオクチルエステル、シクロヘキサン−１，２，３−トリカルボン酸ジ−２−エチルヘキシルエステル、シクロヘキサン−１，２，３−トリカルボン酸ジ−ｎ−ノニルエステル、シクロヘキサン−１，２，３−トリカルボン酸ジイソノニルエステル、シクロヘキサン−１，２，３−トリカルボン酸ジ−ｎ−デシルエステル、シクロヘキサン−１，２，３−トリカルボン酸ジイソデシルエステル、シクロヘキサン−１，２，３−トリカルボン酸ジ−ｎ−ウンデシルエステル、シクロヘキサン−１，２，３−トリカルボン酸ジイソドデシルエステル、シクロヘキサン−１，２，３−トリカルボン酸ジ−ｎ−オクタデシルエステル、シクロヘキサン−１，２，３−トリカルボン酸ジイソオクタデシルエステル、シクロヘキサン−１，２，３−トリカルボン酸ジ−ｎ−エイコシルエステル、シクロヘキサン−１，２，３−トリカルボン酸モノシクロヘキシルエスエル、シクロヘキサン−１，２，３−トリカルボン酸ジシクロヘキシルエステル、
【００６１】
シクロヘキサン−１，２，３−トリカルボン酸トリメチルエステル、シクロヘキサン−１，２，３−トリカルボン酸トリエチルエステル、シクロヘキサン−１，２，３−トリカルボン酸トリ−ｎ−プロピルエステル、シクロヘキサン−１，２，３−トリカルボン酸トリ−ｎ−ブチルエステル、シクロヘキサン−１，２，３−トリカルボン酸トリ−ｔｅｒｔ−ブチルエステル、シクロヘキサン−１，２，３−トリカルボン酸トリイソブチルエステル、シクロヘキサン−１，２，３−トリカルボン酸トリグリコールエステル、シクロヘキサン−１，２，３−トリカルボン酸トリ−ｎ−オクチルエステル、シクロヘキサン−１，２，３−トリカルボン酸トリイソオクチルエステル、シクロヘキサン−１，２，３−トリカルボン酸トリ−２−エチルヘキシルエステル、シクロヘキサン−１，２，３−トリカルボン酸トリ−ｎ−ノニルエステル、シクロヘキサン−１，２，３−トリカルボン酸トリイソノニルエステル、シクロヘキサン−１，２，３−トリカルボン酸トリ−ｎ−デシルエステル、シクロヘキサン−１，２，３−トリカルボン酸トリイソドデシルエステル、シクロヘキサン−１，２，３−トリカルボン酸トリ−ｎ−ウンデシルエステル、シクロヘキサン−１，２，３−トリカルボン酸トリイソドデシルエステル、シクロヘキサン−１，２，３−トリカルボン酸トリ−ｎ−オクタデシルエステル、シクロヘキサン−１，２，３−トリカルボン酸トリイソオクタデシルエステル、シクロヘキサン−１，２，３−トリカルボン酸トリ−ｎ−エイコシルエステル、シクロヘキサン−１，２，３−トリカルボン酸トリシクロヘキシルエステル、
シクロヘキサン−１，２，３−トリカルボン酸ジ−ｎ−ヘキシルエステル、シクロヘキサン−１，２，３−トリカルボン酸ジイソヘキシルエステル、シクロヘキサン−１，２，３−トリカルボン酸トリ−ｎ−ヘキシルエステル、シクロヘキサン−１，２，３−トリカルボン酸トリ−ｎ−ヘキシルエステル、シクロヘキサン−１，２，３−トリカルボン酸トリイソヘキシルエステル、シクロヘキサン−１，２，３−トリカルボン酸ジ−ｎ−ヘプチルエステル、シクロヘキサン−１，２，３−トリカルボン酸ジイソヘプチルエステル、シクロヘキサン−１，２，３−トリカルボン酸トリ−ｎ−ヘプチルエステル、シクロヘキサン−１，２，３−トリカルボン酸トリイソヘプチルエステル、シクロヘキサン−１，２，３−トリカルボン酸ジ−ｎ−ペンチルエステル、シクロヘキサン−１，２，３−トリカルボン酸ジイソペンチルエステル、シクロヘキサン−１，２，３−トリカルボン酸トリ−ｎ−ペンチルエステル、シクロヘキサン−１，２，３−トリカルボン酸トリイソペンチルエステル、シクロヘキサン−１，２，３−トリカルボン酸ジ−ｎ−トリデシルエステル、シクロヘキサン−１，２，３−トリカルボン酸ジイソトリデシルエステル、シクロヘキサン−１，２，３−トリカルボン酸トリ−ｎ−トリデシルエステル、シクロヘキサン−１，２，３−トリカルボン酸ジ−ｎ−トリイソトリデシルエステル、シクロヘキサン−１，２，３−トリカルボン酸ジ−ｎ−ドデシルエステル、シクロヘキサン−１，２，３−トリカルボン酸ジイソウンデシルエステル、シクロヘキサン−１，２，３−トリカルボン酸トリ−ｎ−ドデシルエステル、シクロヘキサン−１，２，３−トリカルボン酸ジ−ｎ−トリイソウンデシルエステル、シクロヘキサン−１，２，３−トリカルボン酸トリイソプロピルエステル、
【００６２】
シクロヘキサン−１，２，４，５−テトラカルボン酸のアルキルエステル、例えばシクロヘキサン−１，２，４，５−テトラカルボン酸モノメチルエステル、シクロヘキサン−１，２，４，５−テトラカルボン酸ジメチルエステル、シクロヘキサン−１，２，４，５−テトラカルボン酸ジエチルエステル、シクロヘキサン−１，２，４，５−テトラカルボン酸ジ−ｎ−プロピルエステル、シクロヘキサン−１，２，４，５−テトラカルボン酸ジ−ｎ−ブチルエステル、シクロヘキサン−１，２，４，５−テトラカルボン酸ジ−ｔｅｒｔ−ブチルエステル、シクロヘキサン−１，２，４，５−テトラカルボン酸ジイソブチルエステル、シクロヘキサン−１，２，４，５−テトラカルボン酸モノグリコールエステル、シクロヘキサン−１，２，４，５−テトラカルボン酸ジグリコールエステル、シクロヘキサン−１，２，４，５−テトラカルボン酸ジ−ｎ−オクチルエステル、シクロヘキサン−１，２，４，５−テトラカルボン酸ジイソオクチルエステル、シクロヘキサン−１，２，４，５−テトラカルボン酸ジ−２−エチルヘキシルエステル、シクロヘキサン−１，２，４，５−テトラカルボン酸ジ−ｎ−ノニルエステル、シクロヘキサン−１，２，４，５−テトラカルボン酸ジイソノニルエステル、シクロヘキサン−１，２，４，５−テトラカルボン酸ジ−ｎ−デシルエステル、シクロヘキサン−１，２，４，５−テトラカルボン酸ジイソデシルエステル、シクロヘキサン−１，２，４，５−テトラカルボン酸ジ−ｎ−ウンデシルエステル、シクロヘキサン−１，２，４，５−テトラカルボン酸ジイソドデシルエステル、シクロヘキサン−１，２，４，５−テトラカルボン酸ジ−ｎ−オクタデシルエステル、シクロヘキサン−１，２，４，５−テトラカルボン酸ジイソオクタデシルエステル、シクロヘキサン−１，２，４，５−テトラカルボン酸ジ−ｎ−エイコシルエステル、シクロヘキサン−１，２，４，５−テトラカルボン酸モノシクロヘキシルエスエル、
シクロヘキサン−１，２，４，５−テトラカルボン酸トリメチルエステル、シクロヘキサン−１，２，４，５−テトラカルボン酸トリエチルエステル、シクロヘキサン−１，２，４，５−テトラカルボン酸トリ−ｎ−プロピルエステル、シクロヘキサン−１，２，４，５−テトラカルボン酸トリ−ｎ−ブチルエステル、シクロヘキサン−１，２，４，５−テトラカルボン酸トリ−ｔｅｒｔ−ブチルエステル、シクロヘキサン−１，２，４，５−テトラカルボン酸トリイソブチルエステル、シクロヘキサン−１，２，４，５−テトラカルボン酸トリグリコールエステル、シクロヘキサン−１，２，４，５−テトラカルボン酸トリ−ｎ−オクチルエステル、シクロヘキサン−１，２，４，５−テトラカルボン酸トリイソオクチルエステル、シクロヘキサン−１，２，４，５−テトラカルボン酸トリ−２−エチルヘキシルエステル、シクロヘキサン−１，２，４，５−テトラカルボン酸トリ−ｎ−ノニルエステル、シクロヘキサン−１，２，４，５−テトラカルボン酸トリイソノニルエステル、シクロヘキサン−１，２，４，５−テトラカルボン酸トリ−ｎ−デシルエステル、シクロヘキサン−１，２，４，５−テトラカルボン酸トリイソドデシルエステル、シクロヘキサン−１，２，４，５−テトラカルボン酸トリ−ｎ−ウンデシルエステル、シクロヘキサン−１，２，４，５−テトラカルボン酸トリイソドデシルエステル、シクロヘキサン−１，２，４，５−テトラカルボン酸トリ−ｎ−オクタデシルエステル、シクロヘキサン−１，２，４，５−テトラカルボン酸トリイソオクタデシルエステル、シクロヘキサン−１，２，４，５−テトラカルボン酸トリ−ｎ−エイコシルエステル、シクロヘキサン−１，２，４，５−テトラカルボン酸トリシクロヘキシルエステル、
シクロヘキサン−１，２，４，５−テトラカルボン酸テトラメチルエステル、シクロヘキサン−１，２，４，５−テトラカルボン酸テトラエチルエステル、シクロヘキサン−１，２，４，５−テトラカルボン酸テトラ−ｎ−プロピルエステル、シクロヘキサン−１，２，４，５−テトラカルボン酸テトラ−ｎ−ブチルエステル、シクロヘキサン−１，２，４，５−テトラカルボン酸テトラｔｅｒｔ−ブチルエステル、シクロヘキサン−１，２，４，５−テトラカルボン酸テトライソブチルエステル、シクロヘキサン−１，２，４，５−テトラカルボン酸テトラグリコールエステル、シクロヘキサン−１，２，４，５−テトラカルボン酸テトラ−ｎ−オクチルエステル、シクロヘキサン−１，２，４，５−テトラカルボン酸テトライソオクチルエステル、シクロヘキサン−１，２，４，５−テトラカルボン酸テトラ−２−エチルヘキシルエステル、シクロヘキサン−１，２，４，５−テトラカルボン酸テトラ−ｎ−ノニルエステル、シクロヘキサン−１，２，４，５−テトラカルボン酸テトラソノニルエステル、シクロヘキサン−１，２，４，５−テトラカルボン酸テトラ−ｎ−デシルエステル、シクロヘキサン−１，２，４，５−テトラカルボン酸テトライソデシルエステル、シクロヘキサン−１，２，４，５−テトラカルボン酸テトライソドデシル、シクロヘキサン−１，２，４，５−テトラカルボン酸テトラ−ｎ−ウンデシルエステル、シクロヘキサン−１，２，４，５−テトラカルボン酸テトラ−ｎ−オクタデシルエステル、シクロヘキサン−１，２，４，５−テトラカルボン酸テトライソオクタデシルエステル、シクロヘキサン−１，２，４，５−テトラカルボン酸テトラ−ｎ−エイコシルエステル、シクロヘキサン−１，２，４，５−テトラカルボン酸テトラシクロヘキシルエステル、
【００６３】
シクロヘキサン−１，２，４，５−テトラカルボン酸ジ−ｎ−ヘキシルエステル、シクロヘキサン−１，２，４，５−テトラカルボン酸ジイソヘキシルエステル、シクロヘキサン−１，２，４，５−テトラカルボン酸トリ−ｎ−ヘキシルエステル、シクロヘキサン−１，２，４，５−テトラカルボン酸トリイソヘキシルエステル、シクロヘキサン−１，２，４，５−テトラカルボン酸ジ−ｎ−ヘプチルエステル、シクロヘキサン−１，２，４，５−テトラカルボン酸ジイソヘプチルエステル、シクロヘキサン−１，２，４，５−テトラカルボン酸トリ−ｎ−ヘプチルエステル、シクロヘキサン−１，２，４，５−テトラカルボン酸トリイソヘプチルエステル、シクロヘキサン−１，２，４，５−テトラカルボン酸ジ−ｎ−ペンチルエステル、シクロヘキサン−１，２，４，５−テトラカルボン酸ジイソペンチルエステル、シクロヘキサン−１，２，４，５−テトラカルボン酸トリ−ｎ−ペンチルエステル、シクロヘキサン−１，２，４，５−テトラカルボン酸トリイソペンチルエステル、シクロヘキサン−１，２，４，５−テトラカルボン酸ジ−ｎ−トリデシルエステル、シクロヘキサン−１，２，４，５−テトラカルボン酸ジイソトリデシルエステル、シクロヘキサン−１，２，４，５−テトラカルボン酸トリ−ｎ−トリデシルエステル、シクロヘキサン−１，２，４，５−テトラカルボン酸トリイソトリデシルエステル、シクロヘキサン−１，２，４，５−テトラカルボン酸ジ−ｎ−ドデシルエステル、シクロヘキサン−１，２，４，５−テトラカルボン酸ジイソウンデシルエステル、シクロヘキサン−１，２，４，５−テトラカルボン酸トリ−ｎ−ドデシルエステル、シクロヘキサン−１，２，４，５−テトラカルボン酸トリイソウンデシルエステル、シクロヘキサン−１，２，４，５−テトラカルボン酸トリイソプロピルエステル、シクロヘキサン−１，２，４，５−テトラカルボン酸テトラ−ｎ−ヘキシルエステル、シクロヘキサン−１，２，４，５−テトラカルボン酸テトライソヘキシルエステル、シクロヘキサン−１，２，４，５−テトラカルボン酸テトラ−ｎ−ヘプチルエステル、シクロヘキサン−１，２，４，５−テトラカルボン酸テトライソヘプチルエステル、シクロヘキサン−１，２，４，５−テトラカルボン酸テトラ−ｎ−ペンチルエステル、シクロヘキサン−１，２，４，５−テトラカルボン酸テトライソペンチルエステル、シクロヘキサン−１，２，４，５−テトラカルボン酸テトラ−ｎ−トリデシルエステル、シクロヘキサン−１，２，４，５−テトラカルボン酸テトライソトリデシルエステル、シクロヘキサン−１，２，４，５−テトラカルボン酸テトラ−ｎ−ドデシルエステル、シクロヘキサン−１，２，４，５−テトラカルボン酸テトライソウンデシルエステル、シクロヘキサン−１，２，４，５−テトラカルボン酸テトライソプロピルエステル、
シクロヘキサン−１，２−ジカルボン酸無水物、シクロヘキサン−１，２，４−トリカルボン酸、シクロヘキサン−１，２，３−トリカルボン酸、シクロヘキサン−１，２，４，５−テトラカルボン酸。
【００６４】
本発明において用いられる、適する他の化合物は、ＷＯ９９／３２４２７号公報に開示されたシクロヘキサン−１，２−ジカルボン酸のエステルである。これを再度以下に記載する。
【００６５】
ケミカルアブストラクト登録番号(CAS No.) 84777-06-0のジ（イソペンチル）フタレートの水素添加により得られたシクロヘキサン−１，２−ジカルボン酸のジ（イソペンチル）エステル、
CAS No.71888-89-6のジ（イソヘプチル）フタレートの水素添加により得られたシクロヘキサン−１，２−ジカルボン酸のジ（イソヘプチル）エステル、
CAS No.68515-48-0のジ（イソノニル）フタレートの水素添加により得られたシクロヘキサン−１，２−ジカルボン酸のジ（イソノニル）エステル、
CAS No.28553-12-0のジ（イソノニル）フタレートを、ｎ−ブテンに基づき、水素添加することにより得られたシクロヘキサン−１，２−ジカルボン酸のジ（イソノニル）エステル、
CAS No.28553-12-0のジ（イソノニル）フタレートを、イソブテンに基づき、水素添加することにより得られたシクロヘキサン−１，２−ジカルボン酸のジ（イソノニル）エステル、
CAS No.68515-46-8のジ（ノニル）フタレートの水素添加により得られたシクロヘキサンジカルボン酸の１，２−ジＣ9エステル、
CAS No.68515-49-1のジ（イソノニル）フタレートの水素添加により得られたシクロヘキサン−１，２−ジカルボン酸のジ（イソノニル）エステル、
CAS No.68515-42-4の対応するフタル酸エステルの水素添加により得られたシクロヘキサンジカルボン酸の１，２−ジＣ7-11エステル、
CAS No.111381-89-6、111381-90-9、111381-91-0、68515-44-6、 68515-45-7、及び3648-20-7のジＣ7-11フタレートの水素添加により得られたシクロヘキサンジカルボン酸の１，２−Ｃ7-11エステル、
CAS No.98515-43-5のジＣ9-11フタレートの水素添加により得られたシクロヘキサンジカルボン酸の１，２−ジＣ9-11エステル、
主にジ（２−プロピルヘプチル）フタレートから成るジ（イソデシル）フタレートの水素添加により得られたシクロヘキサンジカルボン酸の１，２−ジ（イソデシル）エステル、
分岐状又は直鎖状Ｃ7-9アルキルエステル基を有する対応するフタル酸エステルの水素添加により得られたシクロヘキサンジカルボン酸の１，２−Ｃ7-9エステル（出発材料の例として以下のフタル酸エステルが好ましく用いられる、すなわち
CAS No.111381-89-6のジ−Ｃ7,9アルキルフタレート、
CAS No.68515-44-6のジ−Ｃ7アルキルフタレート、
CAS No.68515-45-7のジ−Ｃ9アルキルフタレート）。
【００６６】
本発明はＷＯ９９／３２４２７号公報に記載の内容を一例として完全に含むものであって、特に上述の列挙した化合物及び巨視的細孔を有する特定の触媒を用いたベンゼンポリカルボン酸の製造方法を含む。
【００６７】
本発明によると、Ｃ10及びＣ13アルコールの混合フタルエステルの水素添加生成物を用いることも可能である。これらの化合物はDE-A10032580.7号公報に記載されている。本発明において好ましく用いられる他の化合物は、Jayflex DINP（CAS No. 68515-48-0）、Jayflex DIDP（CAS No. 68515-49-1）、Palatinol 9-P、Vestinol 9（CAS No.28553-12-0）、TOTM-1（CAS No.3319-31-1）、Linplast 68-TM、Platinol N（CAS No.28553-12-0）、Jayflex  DHP（CAS No.68515-50-4）、Jayflex DIOP（CAS No.27554-26-3）、Jayflex UDP（CAS No.68515-47-9）、Jayflex DIUP（CAS No.85507-79-5）、Jayflex DTDP（CAS No.68515-47-9）、Jayflex L9P（CAS No.68515-45-7）、Jayflex L911P（CAS No.68515-43-5）、Jayflex L11P（CAS No.3648-20-2）、Witamol 110 (CAS No.90193-91-2)、Witamol 118 (ジ−ｎ−Ｃ8−Ｃ10アルキルフタレート)、Unimoll BB (CAS No.85-68-7)、Linplast 1012BP (CAS No. 90193-92-3)、Linplast13XP (CAS No. 27253-26-5)、 Linplast 610 P (CAS No. 68515-51-5)、Linplast 68 FP (CAS No. 68648-93-1)、Linplast 812 HP (CAS No. 70693-30-0)、Palatinol AH(CAS No. 117-81-7)、Palatinol 711(CAS No.68515-42-4)、Palatinol 911(CAS No.68515-43-5)、Palatinol 11(CAS No.3648-20-2)、Palatinol Z(CAS No.26761-40-0)及びPalatinol DIPP (CAS No.84777-06-0)として市販されているベンゼンカルボン酸エステルの水素添加生成物である。
【００６８】
特に好ましい印刷インクはシクロヘキサン−１，２−ジカルボン酸のジエステルを含む。好ましいエステル基は、炭素原子数５〜１３の直鎖状又は分岐状のアルキル基を有する。この例としてはHexamoll（登録商標）DINCH (BASF AG)の商品名にて市販されているシクロヘキサン−１，２−ジカルボン酸ジイソノニルである。
【００６９】
シクロヘキサンカルボン酸誘導体の使用量は、印刷インク、特に包装材料用印刷インクの全成分の総量に対して一般に０．１〜３質量％であり、好ましくは０．５〜２．５質量％、特に好ましくは１〜２質量％とされる。
【００７０】
可塑剤の作用が慣用の可塑剤の作用と同一である場合、印刷層の残留溶媒含有率が大幅に減少し、印刷特性が向上する。
【００７１】
本発明の印刷インク又は印刷ラッカーの製造方法は、慣用の装置、例えば溶解装置、撹拌子付きボールミル、スリーロールミル（三本ロール練機）中、各成分を強力に混合又は強力に分散する等の公知方法により行われる。（各）成分の一部を用いて濃縮顔料分散液（顔料調製物とも言う）を製造することから調製を開始し、次いでこれを他の（各）成分及び溶媒を用いて処理することにより印刷インクを完成させることができる。
【００７２】
本発明の印刷インクは種々の基板（材料）の印刷に使用可能である。特に、本発明の印刷インクはプラスチックフォイル及び金属フォイルの印刷に使用可能であり、更に、包装用の多層材料の製造に使用することも可能である。
【００７３】
本発明の印刷ラッカーは、特にプラスチックフォイル又は金属フォイルの下塗り剤用に、又は保護層もしくは仕上げ層として使用される。更に、本発明の印刷ラッカーは包装用の多層材料の製造にも使用可能である。
【００７４】
プラスチックフォイルとしては、ポリオレフィン、例えばポリエチレン、ポリプロピレン若しくはポリ（４−メチル−１−ペンテン）から構成されるフォイル、又はポリスチレンから構成されるフォイルが特に好ましく用いられる。ポリエチレンフォイルは、ＨＤＰＥ、ＬＤＰＥ又はＬＬＤＰＥから成るフォイルであってもよい。共重合体を使用することも可能であり、具体例にはエチレン−酢酸ビニル共重合体、エチレン−アクリル酸共重合体、又はスチレン−ブタジエン共重合体から成るフォイルがある。ＰＶＣもしくはポリカーボネートから成るフォイル、又は極性材料からなるフォイルが使用される。具体例としてはセロファンフォイル、ポリエステルフォイル、例えばポリエチレンテレフタレート、ポリブチレンテレフタレート又はポリエチレンナフタレートから成るポリエステルフォイル、又はポリアミドフォイル、例えばＰＡ６、ＰＡ１２、ＰＡ６／６６、ＰＡ６／１２、又はＰＡ１１から構成されるポリアミドフィルムがある。
【００７５】
金属フォイルの例としては、特にアルミニウムフォイルを挙げることができるが、更に、鉛フォイル、銅フォイル又は金フォイルを用いてもよい。
【００７６】
特に食品材料等の包装材料の製造に用いられる多層材料は少なくとも２枚のフォイルを含む。これについては冒頭に記載した材料を好ましく使用することができる。フォイルは相互に結合可能であるが、例えばラミネーション（張り合わせ）又は適する積層用接着剤を用いることにより結合可能である。同多層材料の構造に関する詳細は、ＥＰ−Ａ６９５３２９号公報、ＥＰ−Ａ７０７９５６号公報、ＥＰ８０２０４５号公報、ＥＰ−Ａ１００８４４２号公報、ＥＰ−Ａ１１６２０６０号公報、ＷＯ０３／９３００１号公報、又はＷＯ０３／９３００２号公報に記載されており、これらは本明細書に組み込まれているものとする。本発明の印刷インクは、多層材料の印刷に使用可能である。この場合、印刷インクは多層材料の表面に施与されてもよいが、印刷層の配置場所を２枚のフォイルの間としてもよい。一実施の形態では、印刷ラッカーを上記材料の各フォイルの下塗りに用いること、又は保護層の被覆として用いることも可能である。
【００７７】
以下の実施例により、本発明を更に説明する。
【実施例１】
【００７８】
Ａ）印刷インクの製造
以下の基準組成（質量部）を用い、全成分を強力に混合又は分散することにより印刷インクを製造した。
【００７９】
７０．０の顔料調製物（BASF Drucksysteme）
８．０のニトロセルロース（Wolff）
６．０のポリウレタン補助バインダー（BASF Drucksysteme、エタノール中濃度７５％溶液）
１．０のオレアミド（Croda）
０．５のPEワックス（BASF AG）
表１に記載の性質及び使用量による可塑剤
酢酸エチル（溶媒、組成物１００質量部とする残量）
【００８０】
本発明の実施例及び比較例に、以下の可塑剤を用いた。
【００８１】
【表１】
0004493645.tif 000002
【００８２】
表１： CAS No.28553-12-0のジ（イソノニル）フタレートの水素化により得られた可塑剤を使用
【００８３】
Ｂ）本発明の印刷インクを用いた試験
得られた各印刷インクと慣用の凹刻印刷機械を用いることにより、ポリエチレンフォイル上に試験用サンプルを印刷した。テスト用サンプルは種々の画像（イメージ）、文字、べた塗り部分、及び５〜９５％の網状部（グリッド）を有するものとした。印刷インクの粘度、及び印刷されたフィルムの粘着性、耐引掻性、耐水性及び光沢は同等であった。しかしながら、印刷品質、及び印刷されたフィルムの残留溶媒含有率は顕著な相違を示した。
【００８４】
表２に、試験用インクの評価を、表３には残留溶媒の評価を示す。
【００８５】
【表２】
0004493645.tif 000003
【００８６】
【表３】
0004493645.tif 000004
【００８７】
本発明により可塑剤としてシクロヘキサンポリカルボン酸誘導体を用いて、良好な印刷画像を得るためには、慣用の可塑剤と比較して半分の使用量で十分であることが、本発明と比較例とにより示された。同量の可塑剤を用いた場合の印刷層の残留溶媒量は、慣用の可塑剤を用いた場合よりも少なかった。